(57)【要約】  同じコンテンツ画面であっても、同じコンテンツ画面でなくても、コンテンツ画面の内容にかかわらず、複数のユーザが同時に操作することができ、各ユーザが所望のコンテンツを同時に取得でき、待ち時間の発生しないデータ通信装置。このデータ通信装置の装置本体（１１）は、端末機器（２２）とコンテンツを通信するための通信素子（１３）を複数個有する通信部（１４）と、通信部（１４）の所定の通信素子（１３）にコンテンツを転送する転送部（１７）と、複数個の通信素子（１３）の中から、コンテンツが転送される通信素子（１３）を決定する対応情報作成部（２０）とを備えることにより、複数のユーザへ同時に同じコンテンツを提供でき、待ち時間が発生せず、またコンテンツを取得できる領域を動的に変えることができるので、より多くのユーザへコンテンツを提供するなど、コンテンツの提供に関する操作が容易である。
2009063635.tif 000002
【特許請求の範囲】
【請求項１】
端末機器とコンテンツを通信するための通信素子を複数個有する通信部と、
前記通信部の所定の通信素子に前記コンテンツを転送する転送部と、
前記複数個の通信素子の中から、前記コンテンツが転送される通信素子を決定する対応情報作成部と、
を備えるデータ通信装置。
【請求項２】
前記対応情報作成部は、
複数の前記コンテンツが、それぞれ異なる数の前記通信素子へ転送されるように、前記コンテンツが転送される通信素子を決定する、
請求項１記載のデータ通信装置。
【請求項３】
前記通信部に対応して設けられた、前記コンテンツを取得可能な領域を表示する表示部、をさらに備える、
請求項１記載のデータ通信装置。
【請求項４】
前記表示部は、
前記対応情報作成部の決定に同期して表示内容を変更する、
請求項３記載のデータ通信装置。
【請求項５】
前記対応情報作成部は、
前記表示部の表示内容の変化に同期して前記コンテンツが転送される通信素子を変更する、
請求項３記載のデータ通信装置。
【請求項６】
前記表示部が表示するコンテンツを取得可能な領域の面積は、前記対応情報作成部が決定する前記コンテンツを転送する通信素子の数に比例する、
請求項３記載のデータ通信装置。
【請求項７】
交換可能な情報担体を識別する識別部、をさらに備え、
前記対応情報作成部は、
前記情報担体の有する情報に基づいて、前記コンテンツが転送される通信素子を決定する、
請求項１記載のデータ通信装置。
【請求項８】
前記通信部は、透光性材料から構成される、
請求項１記載のデータ通信装置。
【請求項９】
前記通信部は、柔軟性材料から構成される、
請求項１記載のデータ通信装置。
【請求項１０】
前記通信部は、
前記コンテンツを送信する前に前記コンテンツを識別する情報を送信する、
請求項１記載のデータ通信装置。
【請求項１１】
前記通信部は、
前記通信素子を介して携帯端末から送信される情報を受信する、
請求項１記載のデータ通信装置。
【請求項１２】
前記端末機器から送信される情報に基づいて前記コンテンツの送信の可否を判断する送信判定部、をさらに備える、
請求項１１記載のデータ通信装置。
【請求項１３】
前記対応情報作成部は、
前記端末機器から送信される情報に基づいて前記コンテンツが転送される通信素子、を決定する、
請求項１１記載のデータ通信装置。
【請求項１４】
前記通信部に対応して設けられ、前記コンテンツを取得可能な領域を表示する表示部、をさらに備え、
前記表示部は、
前記端末機器から送信される情報に基づいて表示内容を決定する、
請求項１１記載のデータ通信装置。
【請求項１５】
コンテンツを通信するための通信素子を複数個有する通信部と、前記通信部の所定の通信素子にコンテンツを転送する転送部と、前記複数個の通信素子の中から、コンテンツが転送される通信素子を決定する対応情報作成部とを備え、前記通信部は前記コンテンツを送信する前に前記コンテンツを識別する情報を送信するデータ通信装置との間で、前記コンテンツが転送される通信素子を介して前記コンテンツと前記コンテンツを識別する情報を受信する受信部を有する端末機器であって、
前記受信部で受信した前記コンテンツを識別する情報に基づいて、前記コンテンツの受信の可否を判断する受信判定部、を備える、
端末機器。
【請求項１６】
前記受信部で受信した前記コンテンツを識別する情報に基づいて、表示する内容を決定する端末表示部、を有する、
請求項１５記載の端末機器。
【請求項１７】
コンテンツを通信するための通信素子を複数個有する通信部と、前記通信部の所定の通信素子にコンテンツを転送する転送部と、前記複数個の通信素子の中から、前記コンテンツが転送される通信素子を決定する対応情報作成部と、を有するデータ通信装置と、
前記データ通信装置との間で前記通信素子を介して前記コンテンツを受信する端末機器と、
を備えるデータ通信システム。
【発明の詳細な説明】
【技術分野】
【０００１】
本発明は、楽曲情報や画像情報、店情報、旅先情報などのコンテンツをユーザ端末で入手することのできる、キオスクなどのデータ通信装置、端末機器、およびそれを用いたデータ通信システムに関する。
【背景技術】
【０００２】
従来のこの種のデータ通信装置は、入手するコンテンツに関する情報を顧客情報としてユーザ毎に保存する顧客データベースと、ユーザを特定するＩＤ情報を取得するＩＤ取得手段と、ＩＤ情報に対応する顧客情報を用いてそのユーザ毎に操作ボタンを表示する表示手段とを備えるものが知られている（特許文献１参照）。この技術によれば、ユーザに不要な操作ボタンを表示することなくユーザ固有の操作ボタンを表示することができるので、ユーザが望むコンテンツ画面に早く到達することができる。
【特許文献１】特開２００４‐１３７６５号公報
【発明の開示】
【発明が解決しようとする課題】
【０００３】
しかしながら、このような従来のデータ通信装置では、複数の人がデータ通信装置を操作することを想定していない。したがって、同じコンテンツ画面を所望するユーザが複数人いる場合であっても、ユーザ毎に同じ操作ボタンの繰り返しが必要であり、各ユーザは長い待ち時間が必要である。【０００４】
また、上記特許文献１に記載のような従来のデータ通信装置では、各ユーザの操作時間は短縮されるが、それぞれのユーザ毎にＩＤ情報が必要である。したがって、同じコンテンツ画面を所望するにもかかわらず、複数人が同時にデータ端末を操作することができず、やはり待ち時間が発生した。【０００５】
本発明の目的は、上記従来のデータ通信装置の課題を解決することであり、同じコンテンツ画面であっても、同じコンテンツ画面でなくても、コンテンツ画面の内容にかかわらず、複数のユーザが同時に操作することができ、各ユーザが所望のコンテンツを同時に取得でき、待ち時間の発生しないデータ通信装置、端末機器、およびそれを用いたデータ通信システムを提供することである。
【課題を解決するための手段】
【０００６】
本発明のデータ通信装置は、端末機器とコンテンツを通信するための通信素子を複数個有する通信部と、通信部の所定の通信素子にコンテンツを転送する転送部と、複数個の通信素子の中から、コンテンツが転送される通信素子を決定する対応情報作成部とを備えている。【０００７】
これにより、複数のユーザへ同時に同じコンテンツを提供でき、待ち時間が発生せず、またコンテンツを取得できる領域を動的に変えることができるので、より多くのユーザへコンテンツを提供するなど、コンテンツの提供に関する操作が容易である。【０００８】
さらに、本発明の端末機器は、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを備え、通信部はコンテンツを送信する前にコンテンツを識別する情報を送信するデータ通信装置との間で、コンテンツが転送される通信素子を介してコンテンツとコンテンツを識別する情報を受信するコンテンツ受信部を有する端末機器であって、受信したコンテンツを識別する情報に基づいて、コンテンツの受信の可否を判断する受信判定部を備えた構成を有している。【０００９】
これにより、データ通信装置の通信部との間でコンテンツを識別する情報の通信を行って、事前にコンテンツ受信の可否を判断するので、間違ったコンテンツの受信を防ぐことができる。【００１０】
さらに、本発明のデータ通信システムは、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを有するデータ通信装置と、データ通信装置との間で通信素子を介してコンテンツを受信する端末機器とを備えた構成を有している。【００１１】
これにより、端末機器とデータ通信装置との間で事前にコンテンツの内容を確認してから、間違いのないコンテンツの受信を行うことができる。
【発明の効果】
【００１２】
本発明のデータ通信装置は、対応情報作成部により、多数の通信素子の中から、コンテンツが転送される通信素子を決定することができるので、複数のユーザへ同時に同じコンテンツを提供でき、待ち時間が発生せず、またコンテンツを取得できる領域を変えることができるので、より多くのユーザへコンテンツを提供するなど、コンテンツの提供に関する操作が容易である。
【図面の簡単な説明】
【００１３】
【図１】本発明のデータ通信装置の実施の形態１にかかる構成を示すブロック図
【図２】実施の形態１の対応情報の例を示す概念図
【図３】実施の形態１の動作を示すフロー図
【図４】本発明のデータ通信装置の実施の形態２にかかる構成を示すブロック図
【図５】実施の形態２の構成を示す上面図
【図６】実施の形態２の動作を示すフロー図
【発明を実施するための最良の形態】
【００１４】
以下、本発明のデータ通信装置の実施の形態について図面を参照して説明する。【００１５】
（実施の形態１）
図１は本発明のデータ通信装置の実施の形態１にかかる構成を示すブロック図である。【００１６】
本実施の形態では、いろいろなジャンルの音楽を配信することができるデータ通信装置を例に説明するが、これに限定されない。本発明は、映画のような動画像、写真などの静止画像、コンサート、映画、スポーツ観戦、博物館などのチケット、列車、および飛行機などのチケットなどの、各種のコンテンツ配信サービスにも適用することができる。【００１７】
まず、図１を用いて、本実施の形態の概略を説明する。【００１８】
図１において、本実施の形態であるデータ通信装置の装置本体１１は、表示部１２と、表示部１２上に設けられた通信部１４とを備えている。表示部１２は、提供する複数のコンテンツにそれぞれ対応したコンテンツ領域１２１〜１２５を表示する。通信部１４には、通信素子１３‐１〜１３‐１５（以下、いずれかを特定しない場合は通信素子１３と記す）が複数個マトリクス状に形成されている。通信素子１３は、例えばシートアンテナであり、ミリ波ＵＷＢ（ウルトラ・ワイド・バンド）による指向性のある無線通信が可能となっている。なお、通信手段は、ミリ波ＵＷＢに限らず、マイクロ波や光通信などでも良い。【００１９】
さらに、装置本体１１は、表示制御部１５、通信素子制御部１６、および転送部１７を備えている。表示制御部１５は、表示部１２の表示内容を制御する。通信素子制御部１６は、通信部１４の通信素子１３を制御する。転送部１７は、ユーザの要求するコンテンツを、通信素子１３のうち、そのコンテンツを供給する通信素子１３に転送する。【００２０】
さらに、装置本体１１は、コンテンツ取得部１８およびコンテンツ関連情報取得部１９を備えている。コンテンツ取得部１８は、コンテンツを取得し保存する。コンテンツ関連情報取得部１９は、コンテンツに関連する、例えば統計情報などのコンテンツ関連情報を、取得し保存する。【００２１】
さらに、装置本体１１は、対応情報作成部２０を備えている。対応情報作成部２０は、コンテンツ関連情報取得部１９が取得したコンテンツ関連情報に基づいて、コンテンツと通信素子１３と表示部１２との対応関係を示す対応情報を作成する。この対応情報は、具体的には、どのコンテンツをどの通信素子１３に転送するかを決定し、さらにその通信素子１３に対応する表示部１２のコンテンツ領域をどのように表示するかを決定する情報である。【００２２】
さらに、装置本体１１は、送信判定部２７および全体制御部２１を備えている。送信判定部２７は、ユーザが使用する端末機器であるユーザ端末２２から送信される情報に基づいて、コンテンツの送信の可否を判断する。全体制御部２１は、これら各構成要素を制御する。【００２３】
このような構成からなる装置本体１１に対して、ユーザは、ユーザ端末２２を、所望するコンテンツ領域１２１〜１２５のいずれかの領域にかざす。これにより、その領域の上に位置する通信素子１３を介して、ユーザ端末２２に所望のコンテンツが配信される。【００２４】
ユーザ端末２２としては、ＰＤＡ、ＡＶ機器、情報端末や携帯電話などが用いられる。ユーザ端末２２は、送受信部２３、操作部２４、端末表示部２５、受信判定部２８、および制御部２６とから構成される。送受信部２３は、装置本体１１と通信を行う。操作部２４は、ユーザの操作を受け付ける。端末表示部２５は、受信内容や操作内容などを表示する。受信判定部２８は、コンテンツの受信の可否を判断する。制御部２６は、ユーザ端末２２の全体の制御を行う。【００２５】
次に、上記各構成要素の詳細について説明する。【００２６】
表示部１２は、液晶表示パネルのようなもので構成され、例えば、Ｊ‐ＰＯＰジャンルの人気順に広い面積を有するコンテンツ領域１２１〜１２５を表示している。すなわち、人気Ｎｏ.１が歌手「ＡＡ」の楽曲「ａａ」、Ｎｏ.２が歌手「ＢＢ」楽曲「ｂｂ」、Ｎｏ.３が歌手「ＣＣ」の楽曲「ｃｃ」、Ｎｏ.４が歌手「ＤＤ」の楽曲「ｄｄ」、Ｎｏ.５が歌手「ＥＥ」の楽曲「ｅｅ」とする。この場合、コンテンツ領域１２１は、一番面積が大きい赤色の楕円形状で示されており、その領域のコンテンツが楽曲「ａａ」であることを示している。【００２７】
以下、楽曲「ｂｂ」に対応する青色の円形状のコンテンツ領域１２２、楽曲「ｃｃ」に対応する緑色の楕円形状のコンテンツ領域１２３、楽曲「ｄｄ」に対応する黄色の円形状のコンテンツ領域１２４、および楽曲「ｅｅ」に対応する桃色の円形状のコンテンツ領域１２５が、この順序で、徐々に面積が小さくなるように表示されている。【００２８】
各コンテンツ領域１２１〜１２５には、各領域だけでなく、少なくともそれぞれのコンテンツを示す楽曲と歌手が表示される。すなわち、コンテンツ領域１２１には、楽曲「ａａ」と歌手「ＡＡ」が、「ａａ（ＡＡ）」のように表示される。他の、コンテンツ領域１２２〜１２５にも同様に、「ｂｂ（ＢＢ）」〜「ｅｅ（ＥＥ）」と表示される。これによって、ユーザは、どのコンテンツ領域１２１〜１２５からどのようなコンテンツを取得できるかがわかる。【００２９】
通信部１４は、表示部１２の表面に設けられている。通信部１４の各通信素子１３は、ミリ波ＵＷＢによってユーザ端末２２と通信が可能な、光透過性柔軟性材料からなるシートアンテナとその駆動回路とから構成されている。なお、シートアンテナと駆動回路は、必ずしも本実施の形態のように別体ではなくても良く、一体であっても良い。【００３０】
各通信素子１３は、それぞれが独立して、図示しない薄膜配線によって転送部１７に接続されている。【００３１】
シートアンテナとしては、例えば、光透過性有機材料シートの中に銅やフェライトなどの金属材料をループ状に形成されたものが一般的に用いられる。【００３２】
絶縁体としては、カバーレイと呼ばれるポリイミド膜もしくはフォトソルダーレジスト膜が一般的に用いられる。また、導体としては、銅が一般的に用いられる。【００３３】
したがって、通信部１４の表面からは、表示部１２の各コンテンツ領域１２１〜１２５を、通信部１４を透過して見ることができる。【００３４】
これにより、ユーザは、取得したいコンテンツ領域１２１〜１２５にユーザ端末２２をかざすことによって、その下の通信素子１３から、ユーザ端末２２への所望のコンテンツの配信を受けることができる。【００３５】
転送部１７は、シートアンテナを制御するドライバ、通信プロトコルなどのミドルウェア、アンテナに対応したコンテンツを転送するアプリケーションソフトウェアから構成されている。【００３６】
コンテンツ関連情報取得部１９は、コンテンツに関連する情報を、インターネットなどを介して外部から取得して保存する。本実施の形態では、コンテンツ関連情報取得部１９は、人気ランキング、年齢別人気ランキング、ジャンル別人気ランキング、シングルＣＤ売り上げランキングなどの統計情報を取得する。このような統計情報は、定期的に更新されるものであれば、どれくらいの間隔で更新するかを統計情報から判断することができる。したがって、コンテンツ関連情報取得部１９は、例えば、統計情報から適切な更新間隔を判断し、定期的に統計情報を取得して更新し、保存する。【００３７】
また、コンテンツ関連情報取得部１９は、装置本体１１で購入された楽曲の情報も履歴として入力し、必要に応じて、その結果を各ランキングに反映する。例えば、コンテンツ関連情報取得部１９は、装置本体１１での購入ランキング情報として扱ったり、売り上げランキングを更新したりする。【００３８】
コンテンツ取得部１８は、インターネットを介して各種コンテンツを外部から取得し保存する。例えば、コンテンツ取得部１８は、コンテンツ関連情報取得部１９が取得したランキングにおいてランクされる楽曲を、取得して保存する。【００３９】
コンテンツには、例えば、ｍｐ３ファイルのＩＤ３タグ情報のようなコンテンツ付属情報が付属している。この場合、コンテンツ付属情報から、タイトル、アーティスト名、アルバム名などを取得可能である。【００４０】
なお、データ通信装置は、このコンテンツやコンテンツ関連情報を、インターネットを介してではなく、これらを記憶した各種の記憶媒体を用いて取得するようにしても良い。【００４１】
対応情報作成部２０は、コンテンツ関連情報取得部１９で取得したコンテンツ関連情報に基づいて、コンテンツと通信素子１３とコンテンツ領域１２１〜１２５の対応関係を示す対応情報を作成する。この対応情報は、図２に示すように、人気のある楽曲をどの通信素子１３を用いてユーザに提供するか、表示部１２のそのコンテンツ領域の表示はどのようにするかを記述する情報である。【００４２】
例えば、対応情報作成部２０は、図２の１行目（ランキングが「１」の行）に示すように、人気ランキングＮｏ.１の楽曲「ａａ」を、通信部１４の左上６個の通信素子１３‐１〜１３‐３、１３‐６〜１３‐８から提供するようにする内容の、対応情報を作成する。また、対応情報作成部２０は、表示部１２に、通信素子１３‐１〜１３‐３、１３‐６〜１３‐８の位置に対応する、左上部分のＪ個の画素を用いて、赤色の楕円形状のコンテンツ領域１２１と、その領域内の文字「ａａ（ＡＡ）」とを、５分間表示するという内容の、対応情報を作成する。【００４３】
ここで、対応情報作成部２０は、表示部１２の全画素数を分かっている。したがって、コンテンツ供給側が、ランキングの何位まで表示するか、隣接ランキングとの面積差をいくらにするかなどを、ユーザの購買予測などを考慮して予め決めておくことにより、対応情報作成部２０は、コンテンツ領域１２１〜１２５の面積を、自動的に計算することができる。【００４４】
また、対応情報作成部２０は、通信部１４の通信素子１３の位置や数も予め分かっているので、コンテンツ領域１２１〜１２５に対応する通信素子１３も自動的に計算して選択することができる。したがって、対応情報作成部２０は、各ランキングの色、形状、表示内容、表示時間なども予め決めておくことにより、コンテンツ関連情報取得部１９が取得した人気ランキングに基づいて、表示部１２を制御するための表示設定を、容易に行なうことができる。【００４５】
例えば、人気Ｎｏ.１の楽曲は購入希望者が多いと予測される。したがって、対応情報作成部２０は、人気Ｎｏ.１の楽曲を示すコンテンツ領域１２１を、本実施の形態のように一番大きな面積にし、それに対応する通信素子１３‐１〜１３‐３、１３‐６〜１３‐８の数も、一番多い数である６本にする。【００４６】
対応情報作成部２０は、他の楽曲に対しても、楽曲「ａａ」と同様にして、次のように、対応情報を作成する。Ｎｏ.２の楽曲「ｂｂ」の対応情報は、図２の２行目（ランキングが「２」の行）に示すように、通信部１４の右上部分４個の通信素子１３‐４、１３‐５、１３‐９、１３‐１０を用いて供給し、表示部１２の右上部分のＫ個の画素を用いて、青色楕円形状のコンテンツ領域１２２と、その領域内の文字「ｂｂ（ＢＢ）」とを、５分間表示するという内容である。【００４７】
Ｎｏ.３の楽曲「ｃｃ」の対応情報は、通信部１４の左下部分の３個の通信素子１３‐１１〜１３‐１３を用いて供給し、表示部１２の左下部分Ｌ個の画素を用いて、緑色の楕円形状のコンテンツ領域１２３と、文字「ｃｃ（ＣＣ）」とを、５分間表示するという内容である。【００４８】
Ｎｏ.４の楽曲「ｄｄ」の対応情報は、通信部１４の下中央部の１個の通信素子１３‐１４を用いて供給し、表示部１２の下中央部分のＭ個の画素を用いて、黄色円形状のコンテンツ領域１２４と、文字「ｄｄ（ＤＤ）」とを、５分間表示するという内容である。【００４９】
Ｎｏ.５の楽曲「ｅｅ」は、通信部１４の右下部分の１個の通信素子１３‐１５を用いて供給し、表示部１２の右下部分のＮ個の画素を用いて、桃色円形状のコンテンツ領域１２５と、文字「ｅｅ（ＥＥ）」とを、５分間表示するという内容である。【００５０】
本実施の形態では、コンテンツ関連情報取得部１９は、インターネットを介してコンテンツ関連情報を取得する。したがって、コンテンツ関連情報取得部１９は、インターネットを介して逐次取得する情報に、すでに保存している情報との相違があれば、そのタイミングで自動的に計算して、保存しているコンテンツ関連情報を更新する。したがって、対応情報作成部２０は、コンテンツ関連情報取得部１９が保存しているコンテンツ関連情報が更新されるタイミングで、コンテンツ関連情報の対応情報を変更することにより、常に最新の対応情報を生成することができる。【００５１】
しかし、これに限らず、対応情報作成部２０は、所定時間ごとにコンテンツ関連情報取得部１９の内容を確認する毎に、対応情報を変更することとしても良い。対応情報の変更のタイミングは、任意に設定することができる。【００５２】
表示制御部１５は、対応情報作成部２０により作成された対応情報に基づいて、表示部１２での表示駆動を制御する。例えば、表示制御部１５は、人気ランキングＮｏ.１〜Ｎｏ.５のコンテンツに対応して、図２に示す対応情報が定める「コンテンツ領域」、「色」、「表示形状」、「表示内容」、「表示間隔」に従って各コンテンツ領域１２１〜１２５を表示するように、表示部１２の、例えば液晶表示パネルを駆動する。【００５３】
表示制御部１５は、コンテンツ関連情報取得部１９が新しいコンテンツ関連情報を取得して更新するまで、同じ状態を表示する。そして、表示制御部１５は、コンテンツ関連情報の更新によって、対応情報作成部２０が生成するコンテンツと表示部１２と通信素子１３との対応情報に変化があると判断すれば、その新しい対応情報に基づいて、表示部１２の表示を切り替える。例えば、表示制御部１５は、ランキングに変化があった場合には、通信素子に対応する「コンテンツ」、「表示内容」が変わるため、表示部１２の表示を切り替える。【００５４】
通信素子制御部１６は、対応情報作成部２０が作成した対応情報に基づいて、どのコンテンツをどの通信素子１３から提供するかに関する転送設定を行なう。【００５５】
例えば、通信素子制御部１６は、図２に示す対応情報に基づいて、人気ランキングＮｏ.１のコンテンツ「ａａ」を、６個の通信素子１３‐１〜１３‐３、１３‐６〜１３‐８から提供できるように、これらの各通信素子１３と転送部１７に転送の設定をして、準備する。このように、人気の高いコンテンツほど、上記したように、図２に示す対応情報に従って、そのコンテンツ領域に対応してより多くの通信素子１３から供給するように、転送設定を行う。【００５６】
転送部１７は、ユーザがユーザ端末２２をコンテンツ領域１２１〜１２５にかざすことによって、各通信素子１３を介してユーザ端末２２からの接続要求を受け付ける。この場合、送信判定部２７は、ユーザや端末の認証などに基づいて、コンテンツを送信して良いかを判定する。そして、全体制御部２１は、統括して、決済などの購入に必要な処理を行う。その後、転送部１７は、通信素子制御部１６によって行われた設定に従って、それぞれの通信素子１３に対応したコンテンツを、コンテンツ取得部１８から取り込んで通信素子１３に転送する。これによって、ユーザ端末２２は、通信素子１３から、ユーザ端末２２をかざしたコンテンツ領域に対応した楽曲を取得することができる。【００５７】
送信判定部２７は、装置本体１１から送信しようとしているコンテンツが、ユーザが取得したいコンテンツかどうかを示す、ユーザ端末２２から送信されてくる情報に基づいて、コンテンツの送信の可否を判断する。【００５８】
ユーザ端末２２の送受信部２３は、装置本体１１の通信素子１３との間でミリ波ＵＷＢによる通信ができ、認証やコンテンツ確認などのためのデータの送受信を行う。【００５９】
操作部２４は、テンキーや記号キーなどで構成され、ユーザの操作を受け付ける。端末表示部２５は、送受信部２３により送受信されたコンテンツ内容や、認証時の状況を表示する。【００６０】
受信判定部２８は、送受信部２３が受信した、装置本体１１から送信されたコンテンツを識別する情報に基づいて、コンテンツの受信の可否を判断する。制御部２６は、ユーザ端末２２の全体の制御を行う。【００６１】
図３は、本実施の形態の動作を示すフロー図である。図１、図２を参照しながら、図３を用いてその動作を説明する。【００６２】
まず、コンテンツ関連情報取得部１９は、装置本体１１の全体制御部２１の指示に基づいて、定期的にインターネットを介してコンテンツ関連情報を取得する。そして、全体制御部２１は、コンテンツ関連情報に更新があったかどうかを判断する（Ｓ３０１）。【００６３】
コンテンツ関連情報に更新がなかった場合（Ｓ３０１のＮ）、コンテンツ関連情報取得部１９は、更新があるまで、上記判断を定期的に繰り返す。【００６４】
コンテンツ関連情報に更新があった場合（Ｓ３０１のＹ）、対応情報作成部２０は、全体制御部２１の指示により、更新があったコンテンツ関連情報に基づいて、コンテンツと表示部１２と通信素子１３との新しい対応情報を作成する（Ｓ３０２）。【００６５】
例えば、対応情報作成部２０は、コンテンツ関連情報として、コンテンツ名と、ランキングの組み合わせの情報を取得し、図２の対応情報の「コンテンツ」、「表示内容」の欄を更新することで、常に最新の対応情報を生成する。また、コンテンツ関連情報取得部１９が、コンテンツ名と、購入数の組み合わせを履歴として集計し、対応情報作成部２０が、購入数に応じて、図２の対応情報の「コンテンツ」、「表示内容」を変えることで、常に最新の対応情報を得ることができる。【００６６】
なお、対応情報作成部２０は、購入数に比例して、各ランキングの通信素子の個数、表示している円や楕円の面積を変えても良い。【００６７】
次に、表示制御部１５は、全体制御部２１の指示により、対応情報作成部２０が作成した新しい対応情報に基づいて、表示設定を行う（Ｓ３０３）。表示設定は、どのコンテンツをどのコンテンツ領域にどのように表示するかなどの、各コンテンツのコンテンツ領域の表示場所や表示内容に関する設定である。【００６８】
次に、通信素子制御部１６は、全体制御部２１の指示により、対応情報作成部２０が作成した新しい対応情報に基づいて、コンテンツとそれを供給する通信素子１３の配信経路など、各コンテンツ領域に対応する通信素子１３に、該当するコンテンツを転送できるように転送設定を行う（Ｓ３０４）。【００６９】
なお、ステップＳ３０３とＳ３０４は、必ずしも本実施の形態のような順序で行わなくても良く、例えば、並行して行なっても良いし、逆に行っても良い。【００７０】
この状態で、装置本体１１は、ユーザからのコンテンツ購入の要求を待つ。すなわち、全体制御部２１は、ユーザによるコンテンツ購入の要求があるか否かを判断する（Ｓ３０５）。【００７１】
ユーザからのコンテンツ購入の要求がない場合は（Ｓ３０５のＮ）、全体制御部２１は、コンテンツ要求があるまで、上記判断を繰り返す。【００７２】
その後、ユーザが、自ら所有するユーザ端末２２を、表示部１２の所望するコンテンツを示すコンテンツ領域１２１〜１２５のいずれかの領域内のどこかにかざし、操作部２４での操作により送受信部２３からコンテンツ購入を要求したとする。この場合、全体制御部２１は、通信素子１３を介して、非接触通信によるユーザからのコンテンツ購入の要求を検知する（Ｓ３０５のＹ）。【００７３】
ここで、操作部２４の操作とは、ユーザ端末２２に搭載された購入用のアプリケーションを起動させること、ユーザ端末２２のメニューからコンテンツ購入という項目を選択することなどである。【００７４】
ユーザ端末２２からコンテンツの購入要求があった場合（Ｓ３０５のＹ）、装置本体１１の送信判定部２７は、通信素子１３および送受信部２３を介して、ユーザ端末２２の制御部２６からユーザＩＤを取得し、通常の認証処理を行なう（Ｓ３０６）。【００７５】
ここで、通常の認証処理とは、コンテンツを要求するユーザが、購入予約を済ませたユーザか否か、カード決済対象カードの所有者か否か、当該コンテンツを購入できる会員か否かなどの、ユーザに関する認証処理を含む。また、使用されているユーザ端末２２が、装置本体１１が対応できる種類の端末かなどの、ユーザ端末２２に関する認証処理をも含む。【００７６】
認証処理中の進捗状況は、ユーザ端末２２の端末表示部２５に表示してユーザに伝えられる。ユーザは、この進捗状況を見ながら、必要に応じて操作部２４を操作して、認証を行う。【００７７】
ステップＳ３０６で認証が行なえない場合（Ｓ３０６のＮ）、送信判定部２７は、認証の回数が３回かどうかを判断し（Ｓ３０７）、３回目でなければ（Ｓ３０７のＮ）、再度、認証を行なう（Ｓ３０６）。ステップＳ３０７で認証が３回目であれば（Ｓ３０７のＹ）、送信判定部２７は、その結果をユーザ端末２２の端末表示部２５に表示してユーザに通知し、コンテンツ購入動作を終了する。なお、認証回数は３回に限るものではない。【００７８】
ステップＳ３０６で認証が正しい場合（Ｓ３０６のＹ）、送信判定部２７は、対応情報作成部２０で作成した対応情報に基づいて、ユーザ端末２２と通信が確立されている通信素子１３からユーザがどのコンテンツを要求しているかを判断する。そして、送信判定部２７は、通信素子１３を介して、ユーザ端末２２にそのコンテンツ名などのコンテンツ付属情報を送信する。ユーザ端末２２は、装置本体１１から送信されたコンテンツ名などのコンテンツ付属情報を送受信部２３を介して受信し、受信判定部２８の指示により端末表示部２５に表示し、ユーザに対して、供給しようとしているコンテンツの内容の確認処理を行なう（Ｓ３０８）。【００７９】
ユーザ端末２２の端末表示部２５に表示されたコンテンツ名がユーザの要求したものでない場合、ユーザは、例えば、操作部２４に「ＮＯ」を入力するなどの操作をする。この場合、ステップＳ３０８で、受信判定部２８は、コンテンツ名が正しくないことを示す信号を、送受信部２３を介して装置本体１１の通信素子１３に送信する。【００８０】
コンテンツ名が正しくないことを示す信号が通信素子１３で受信されると、装置本体１１の送信判定部２７は、供給しようとしているコンテンツがユーザの購入したい楽曲でないと判断し（Ｓ３０８のＮ）、再度、ステップＳ３０１に戻ってこれまでの動作を行なう。【００８１】
一方、ユーザ端末２２の端末表示部２５に表示されたコンテンツ名がユーザが要求したものである場合、ユーザは、例えば、操作部２４に「ＹＥＳ」を入力するなどの操作する。この場合、ステップＳ３０８で、受信判定部２８は、コンテンツ名が正しいことを示す信号を、送受信部２３を介して装置本体１１の通信素子１３に送信する。【００８２】
コンテンツ名が正しいことを示す信号が通信素子１３で受信されると、装置本体１１の送信判定部２７は、供給しようとしているコンテンツがユーザの購入したい楽曲であると判断し（Ｓ３０８のＹ）、当該コンテンツが装置本体１１で購入されたというコンテンツ関連情報を、コンテンツ関連情報取得部１９に送信する（Ｓ３０９）。【００８３】
その後、転送部１７は、全体制御部２１の指示に基づいて、通信素子１３を介して、ユーザ端末２２との間で通常の決済処理を行なう（Ｓ３１０）。ユーザは、認識処理の経過をユーザ端末２２の端末表示部２５で確認し、必要な操作を操作部２４で行う。【００８４】
ステップＳ３１０で決済処理が完了しなかった場合（Ｓ３１０のＮ）、装置本体１１の全体制御部２１は、決済不可の情報を、通信素子１３からユーザ端末２２の送受信部２３に送信する。これにより、ユーザ端末２２の制御部２６は、端末表示部２５に決済不可の情報を表示し、コンテンツ購入動作を終了する。【００８５】
ステップＳ３１０で決済が完了した場合（Ｓ３１０のＹ）、全体制御部２１は、決済完了の情報を、通信素子１３を介してユーザ端末２２の送受信部２３に送信する。これにより、ユーザ端末２２の制御部２６は、端末表示部２５に決済完了の情報を表示する。【００８６】
これと同時に、転送部１７は、装置本体１１の全体制御部２１の指示により、ユーザ端末２２から要求のあったコンテンツを、コンテンツ取得部１８から読み込み、ユーザ端末２２と通信の接続のある通信素子１３に転送する（Ｓ３１１）。【００８７】
これによって、ユーザは、通信素子１３および送受信部２３を介して、ユーザ端末２２で、要求したコンテンツの配信を受けることができる。【００８８】
以上のように、本実施の形態では、ユーザは、ユーザ端末２２を、表示部１２が表示するコンテンツ領域１２１〜１２５のうち、ユーザが購入したいコンテンツ領域にかざして購入を要求する操作を行うことにより、所望のコンテンツを入手することができる。すなわち、上記操作により、表示部１２の表面に設けられている通信部１４の複数の通信素子１３のうち、そのコンテンツ領域に対応する通信素子１３との通信が確立し、コンテンツ取得部１８から通信素子１３を介して、購入したコンテンツがユーザ端末２２に配信される。【００８９】
対応情報作成部２０は、コンテンツ関連情報取得部１９により取得されたコンテンツ関連情報に基づいて、それぞれのコンテンツ領域１２１〜１２５の大きさを決める。この結果、例えば、人気の高い楽曲に対応して、大きい面積のコンテンツ領域１２１が表示される。すなわち、人気の高いコンテンツの領域には、多くの通信素子１３が対応しているので、同じコンテンツを要求するたくさんのユーザが各自のユーザ端末２２を同じコンテンツ領域１２１に同時にかざした場合でも、それらのユーザは、同時に同じコンテンツの配信を受けることができる。したがって、人気が高い楽曲でも、複数のユーザは行列をつくることなく、即座に楽曲を入手することができる。【００９０】
ユーザがコンテンツを購入することによってそのコンテンツのランキングが変動したり、また例えば、人気ランキング自身も変動したりする。本実施の形態では、コンテンツ関連情報取得部１９は、ユーザがコンテンツを購入する度にランキングの更新をし、対応情報作成部２０は、この更新に基づいて対応情報を更新する。これにより、コンテンツ領域も通信部１４も、ランキングの変動に同期して、リアルタイムに動的に変動して、表示を行うことができる。【００９１】
したがって、ユーザは、表示部１２において、リアルタイムに最新情報を知ることができ、その最新の情報に基づいて、コンテンツを選んで購入することができる。【００９２】
なお、本実施の形態では、データ通信装置は、人気ランキング順に、単にコンテンツ領域１２１〜１２５の面積を変えたが、他の情報に対応してこれらの面積その他表示形態を変化させるようにしても良い。例えば、ランキングが１００人中の何人が投票したかを示すポイントを、コンテンツ関連情報として取得すれば、ポイントの数値に対応したコンテンツ領域を表示することができる。【００９３】
例えば、人気ランキングＮｏ.１が４５ポイント、Ｎｏ.２が４０ポイント、Ｎｏ.３が１０ポイント、Ｎｏ.４が５ポイント、Ｎｏ.５が３ポイントであったとする。Ｎｏ.１のコンテンツ領域１２１は、Ｎｏ.２のコンテンツ領域１２２よりも少し大きい程度の大きさとし、Ｎｏ.３のコンテンツ領域１２３は、Ｎｏ.２のコンテンツ領域１２２に対する大きさの違いが目立つ程度に小さい大きさとする。また、Ｎｏ.４のコンテンツ領域１２４は、Ｎｏ.３のコンテンツ領域１２３よりも少し小さい大きさとし、Ｎｏ.５のコンテンツ領域１２５に対する大きさの差が目立つ程度に大きい大きさとする。このように、ポイント差をコンテンツ領域１２１〜１２５の大きさに反映させることによって、各コンテンツの人気の程度を表示部１２で表示でき、ユーザの購入の参考に供することができる。【００９４】
さらに、データ通信装置は、人気ランキングでコンテンツ領域１２１〜１２５を表示しつつ、コンテンツ領域１２１〜１２５のそれぞれの表示内容に、歌手名や楽曲名以外に、Ｊ‐ＰＯＰランキング順位などの付帯情報を表示するようにしても良い。このような付帯情報も、ユーザの購買の良い参考となる。【００９５】
また、データ通信装置は、各コンテンツ領域１２１〜１２５に、それぞれの歌手の似顔絵や写真などの画像や楽曲をイメージする絵や画像を表示しても良い。この場合、ユーザがコンテンツを選択しやすくなる。【００９６】
さらに、本実施の形態では、対応情報作成部２０は、人気ランキングＮｏ.１〜Ｎｏ.５を表示する内容で対応情報を作成したが、図２の対応情報の「表示間隔」に違いを持たせるなどして、表示時間間隔との対応情報を作成しても良い。例えば、最初の５分はＮｏ.１〜Ｎｏ.５を表示し、次の５分はＮｏ.６〜Ｎｏ.１０を表示するという内容の対応情報である。これにより、より多くのコンテンツの提供を行うことができる。【００９７】
また、表示部１２に表示される内容がスポーツの動画の場合には、ユーザは、試合観戦中に、ユーザ端末２２を注目する選手の画像にかざすことで、その選手に関する情報を得ることができる。この場合、対応情報作成部２０は、動画の再生タイミングに合わせて、選手の表示位置に対応した通信素子と、選手に関する情報を示すコンテンツ名とを、対応情報に記述する。【００９８】
またさらに、表示部１２を大画面とし、通信部１４も通信素子１３を例えば数百個備えたものとすることによって、細かいコンテンツの提供を行うことができる。【００９９】
例えば、データ通信装置は、表示部１２のコンテンツ領域１２１〜１２５を、人気の高い順に異なるジャンルに割り当て、各コンテンツ領域１２１〜１２５の中で、各ジャンルの人気ランキングに基づく領域表示をしても良い。【０１００】
この場合、対応情報作成部２０は、図２に示す対応情報に加えて、ジャンルとの対応関係を示す対応情報を作成する。これによって、コンテンツ領域１２１は、人気の高いＪ‐ＰＯＰのジャンルとし、その領域の中で、上記したようなＪ‐ＰＯＰ人気ランキングＮｏ.１〜Ｎｏ.５の楽曲などを表示する。コンテンツ領域１２２は、人気Ｎｏ.２の洋楽のジャンルとし、その中で人気ランキングＮｏ.１〜Ｎｏ.５の楽曲を表示する。これによって、いろいろな趣味の多くのユーザに対応したデータ通信装置を提供できる。【０１０１】
また、本実施の形態では、コンテンツ領域１２１〜１２５の全てで人気ランキングＮｏ.１〜Ｎｏ.５の楽曲のみを配信する例を示したが、これに限定されない。データ通信装置は、コンテンツ領域１２１〜１２４を、人気ランキングＮｏ１.〜Ｎｏ.４の楽曲の配信に用い、コンテンツ領域１２５を人気ランキングＮｏ.５以下の楽曲の配信に用いることもできる。【０１０２】
すなわち、データ通信装置は、人気ランキングＮｏ.５〜Ｎｏ.１０の楽曲「ｅｅ」〜「ｊｊ」に対しては、通信素子１３‐１５から配信するようにし、コンテンツ領域１２５を、右下部分のＮ個の画素を用いて桃色円形状に表示し、その領域内に、「選択」を意味する文字「Ｓ」を表示する。【０１０３】
この場合、対応情報作成部２０は、図２に示す対応情報に、さらにコンテンツ選択のステップ数を付加し、楽曲「ｅｅ」〜「ｊｊ」に、異なる値の選択ステップ数を設定し、他の項目については同じ内容とすれば良い。そして、表示制御部１５は、選択ステップ数に応じて表示する内容を変えるようにすれば良い。【０１０４】
これによって、ユーザは、所望の楽曲がコンテンツ領域１２１〜１２４にないとき、コンテンツ選択を示すコンテンツ領域１２５にユーザ端末２２をかざしてその領域に対応する通信素子１３‐１５と通信を確立し、コンテンツ領域１２５の表示内容を切り替える。ここで、例えば、ユーザの所望の楽曲が「ｇｇ」であり、楽曲「ｇｇ」の選択ステップ数が「３」であったとする。この場合、ユーザは、コンテンツ選択領域１２５で通信素子１３‐１５との間で選択要求を３回行ってコンテンツの要求をすることにより、目的の楽曲「ｇｇ」を示すコンテンツ選択領域１２５を表示させ、通信素子１３‐１５からユーザ端末２２への楽曲「ｇｇ」の配信を受けることができる。【０１０５】
これによって、それほど人気のないコンテンツを要望するユーザに対してもそのコンテンツを提供でき、より多くのユーザにコンテンツを配信できる。【０１０６】
また、本実施の形態では、対応情報によって、あるコンテンツに対して隣接する複数の通信素子１３を対応させることにより、コンテンツ領域の面積を変えたが、これに限定されない。データ通信装置は、隣接する通信素子１３ではなく、離隔した複数の通信素子１３に、同一のコンテンツを対応させても良い。例えば、表示部１２が平面的に設置されている場合など、そのコンテンツに対して、表示部１２の周囲に配置された所定個数の間隔をあけて配置された複数個の通信素子１３を対応させても良い。これにより、表示部１２の周囲にいるユーザにそのコンテンツを選びやすくできる。【０１０７】
また、本実施の形態では、データ通信装置の装置本体１１からユーザ端末２２にコンテンツを送信する方法を述べたが、逆にユーザ端末２２からデータ通信装置の装置本体１１に、コンテンツを送信する場合もある。例えば、写真などのコンクールにユーザが画像や動画を投稿して応募するケースが考えられる。この場合には、例えば、コンテンツとしての表示内容は、コンクールへの応募の説明であり、応募可能人数の多いコンクールほど、面積が大きく割り当てられる。そして、ユーザは、複数表示されているいくつかのコンクールの中から選択し、ユーザ端末からユーザの撮影した画像や動画を、選んだコンクールに対して応募するようにすることができる。【０１０８】
このような構成とすることによって、データ通信装置は、コンクールの数に応じて応募説明の領域を動的に変化させ、その説明の領域に応じてユーザ端末との間で通信して、ユーザの応募操作を受け付けることができる。【０１０９】
また、対応情報作成部２０は、図１に示すコンテンツ領域１２１〜１２５と同様なマイコンテンツ領域を、対応情報として作成して保存しておき、ユーザ操作を受けて、保存しておいた対応情報に基づいて表示を行うようにしても良い。これにより、ユーザは、自らがコンテンツ取得部１８に保存したコンテンツを、後で取り出すことができる。【０１１０】
また、異なるユーザ端末を用いてデータ通信装置１１へコンテンツを保存し、この保存されたコンテンツを、ユーザ端末２２の操作によりデータ通信装置１１から取り出すようにしても良い。【０１１１】
また、データ通信装置１１へコンテンツを保存したユーザとは異なるユーザにより、このコンテンツの取り出しを行うようにしても良い。【０１１２】
（実施の形態２）
本実施の形態は、日本地図と世界地図とが入れ替わって表示される旅行会社のポスターの表面に、実施の形態１で説明した通信部が設けられた例である。本実施の形態では、ユーザは、この地図上の旅したい都道府県あるいは世界の国に、ユーザ端末をかざすことによって、各都道府県あるいは世界各国のガイドブック情報を、コンテンツとして得ることができる。【０１１３】
実施の形態１との大きな違いは、ディスプレイで表示していたコンテンツの内容が、ポスターでの表示になった点である。【０１１４】
図４は本発明のデータ通信装置の実施の形態２にかかる構成を示すブロック図である。【０１１５】
図４において、本実施の形態のデータ通信装置としての装置本体５１は、日本地図と世界地図が入れ替わるように構成された表示部５２と別体で構成されている。【０１１６】
図４では、日本地図を表示する表示面５２１が示されている。装置本体５１は、通信部５４、識別部５５、および通信素子制御部５６を備えている。通信部５４は、表示部５２の表面に設置されている。また、通信部５４には、シートアンテナからなる通信素子５３がマトリクス状に形成されている。識別部５５は、表示部５２の表示面が日本地図と世界地図とのうちいずれを表示しているのかを検出する。通信素子制御部５６は、識別部５５で検出した表示部５２の表示面内容に応じて、通信部５４の通信素子５３を制御する。【０１１７】
なお、識別部５５は、後述するように、本実施の形態では、通信部５４の通信素子５３と同様な構成で、通信部５４内に設けられる。【０１１８】
さらに、装置本体５１は、コンテンツ取得部５７およびコンテンツ関連情報取得部５８を備えている。コンテンツ取得部５７は、観光案内、名所旧跡紹介、名物料理紹介などのガイドブック情報であるコンテンツを、例えば外部から取得し保存する。コンテンツ関連情報取得部５８は、表示部５２の都道府県または世界各国の地図上の位置情報（例えば、座標情報）である、コンテンツ関連情報を取得し保存する。【０１１９】
さらに、装置本体５１は、対応情報作成部５９、転送部６０、および全体制御部６１を備えている。対応情報作成部５９は、コンテンツ取得部５７が取得したコンテンツと識別部５５が検出した表示面内容とに基づいて、対応情報を作成する。この対応情報は、コンテンツと表示部５２と通信素子５３との対応関係を示す情報である。転送部６０は、コンテンツ取得部５７が取得したコンテンツを通信素子５３に転送する。全体制御部６１は、これらの各構成要素を制御する。【０１２０】
ユーザ端末２２は、実施の形態１と同じ構成であるので、同一符号で示し説明は省略した。【０１２１】
図５は本実施の形態のデータ通信装置の構成を示す上面図である。【０１２２】
図５において、表示部５２は、日本地図を示す表示面５２１と、世界地図を示す表示面５２２と、２つの回転ローラ６５、６６とから構成されている。表示面５２１、５２２は、帯状かつ環状につながっており、平行に離隔して配置された回転ローラ６５、６６に懸架されている。そして、表示面５２１、５２２は、これら回転ローラ６５、６６の回転により、太い白矢印で示すユーザ側（図では上側）に、交互に提示される。すなわち、表示部５２は、日本地図の表示面５２１と世界地図の表示面５２２とを、切り替えて提示するように構成されている。表示面５２１の右下および表示面５２２の右下（図４参照）には、それぞれ、日本地図または世界地図であることを示す情報を保持する情報担体（data carrier）６７、６８が形成されている。【０１２３】
回転ローラ６５、６６は図示しない駆動部によって所定周期で実線矢印方向に駆動され、表示面５２１および表示面５２２を、ユーザ側に周期的に交互に提示する。【０１２４】
データ通信装置の装置本体５１は、その通信部５４が表示部５２のユーザ側に重なるように設置されている。通信部５４のうち、基板６９の表側（図の上側）には、複数の通信素子５３が形成され、基板６９の裏側（図の下側）には、例えばシートアンテナで構成される識別部５５が形成されている。識別部５５は、表示部５２の情報担体６７または６８と対向し得る位置に配置されている。【０１２５】
なお、情報担体６７、６８は、ＲＦＩＤ（Radio Frequency Identification）等のタグであり、タグのＩＤ（識別子）や付加情報などの情報を保持し、無線通信によって、保持している情報を送信する。また、識別部５５は、ＲＦＩＤのリーダーでも良い。情報担体６７、６８は、例えば、ＲＦＩＤとしては、電子タグ、ＩＣタグなどが挙げられ、他にも、ＩＣカード、バーコードが挙げられる。【０１２６】
装置本体５１のうち、通信部５４（通信素子５３を含む）以外の構成要素は、通信部５４の周辺の駆動部７０に設けられている。【０１２７】
本実施の形態では、コンテンツ取得部５７は、表示部５２の表示面の内容に応じて、事前にインターネットなどを介して外部からコンテンツを取得する。本実施の形態では、この取得されるコンテンツは、日本の都道府県および世界の国の、観光案内や名所旧跡、名物料理などのガイドブック情報である。【０１２８】
コンテンツ関連情報取得部５８は、表示部５２の地図情報を、事前にインターネットなどを介して入手し、都道府県および世界各国の表示部５２上の位置情報を、取得および保存している。【０１２９】
なお、データ通信装置は、このコンテンツやコンテンツ関連情報を、インターネットを介してではなく、これらを記憶した各種の記憶媒体を用いて取得しても良いし、ユーザの手入力により事前に取得しても良い。また、データ通信手段は、表示面５２１、５２２の表示パターンを読み取って、自動で都道府県の位置、世界の国の位置を算出するなども可能である。すなわち、情報の取得形態は、何ら本実施の形態の内容に限るものではない。【０１３０】
対応情報作成部５９は、コンテンツ取得部５７が取得したコンテンツと、コンテンツ関連情報取得部５８が取得した、表示面５２１、５２２における地図の場所情報とに基づいて、対応情報を作成し保存する。この対応情報は、地図の場所情報とコンテンツと通信素子５３との対応関係を示す情報である。【０１３１】
通信部５４には、実施の形態１と同様に、シートアンテナからなる通信素子５３が、光透過性の基板６９にマトリクス状に形成されている。通信部５４は、表示部５２のユーザ側の面に設置される。【０１３２】
このような構成からなるデータ通信装置５１をユーザ側から見ると、通信部５４を介して、表示部５２の表示面５２１、５２２、すなわち日本地図または世界地図が見える。【０１３３】
ユーザは、ユーザ端末２２を日本地図の所望の都道府県または世界地図の所望の国にかざして、操作部２４を操作する。すると、ユーザ端末２２がかざされた場所の観光ガイドが、その場所に対応する通信素子５３を介して送受信部２３に送信され、端末表示部２５に表示される。すなわち、ユーザが所望する情報が、ユーザ端末２２に配信される。【０１３４】
図６は、本実施の形態のデータ通信装置の動作を示すフロー図である。図４、図５を参照しながら、図６を用いて、その動作を説明する。【０１３５】
まず、コンテンツ取得部５７は、装置本体５１の全体制御部６１の指示に基づいて、定期的にインターネットを介してガイドブック情報を取得する（Ｓ７０１）。これにより、常に更新されたガイドブック情報が、コンテンツ取得部５７に保存される。【０１３６】
また、コンテンツ関連情報取得部５８も、定期的にインターネットを介してコンテンツ関連情報を取得する（Ｓ７０２）。これにより、常に更新された表示面５２１、５２２上の地図の場所情報が、コンテンツ関連情報取得部５８に保存される。【０１３７】
このコンテンツ関連情報は、上記したように、記憶媒体の記憶内容の書き換えや、表示部５２の地図のパターンに基づく更新など、いろいろな方法によって更新される。【０１３８】
また、ステップＳ７０１とＳ７０２は、逆の順序で行なわれても良いし、同時に並行して行なわれても良い。【０１３９】
次に、識別部５５は、全体制御部６１の指示に基づいて、表示部５２が表示する表示面の変更があったかどうかを判断する（Ｓ７０３）。【０１４０】
表示面に変更がない場合（Ｓ７０３のＮ）、識別部５５は、表示面の変更があるまで待機する。【０１４１】
表示面に変更があった場合（Ｓ７０３のＹ）、対応情報作成部５９は、全体制御部６１の指示に従って、識別部５５の検出結果に基づいて、対応情報を作成する（Ｓ７０４）。この対応情報は、コンテンツと、表示部５２の表示面５２１、５２２と、通信素子５３との対応関係を示す情報である。【０１４２】
すなわち、回転ローラ６５、６６が、図示しない駆動部によって所定時間ごとに回転させられ、表示部５２の表示面５２１、５２２が変更されると、表示面５２１、５２２の右下に形成されている情報担体６７、６８の位置が、定期的に入れ替わる。通信部５４の識別部５５は、情報担体６７、６８と対向する位置に形成されている。したがって、識別部５５は、表示面５２１、５２２が入れ替わる毎に、表示面５２１と表示面５２２との変更を検出する。対応情報作成部５９は、その検出結果に基づいた全体制御部６１の指示により、次のような対応情報を作成する。【０１４３】
まず、識別部５５が日本地図の表示面５２１の情報担体６７を検出したときについて説明する。対応情報作成部５９は、コンテンツ関連情報取得部５８が取得した表示面５２１上の各都道府県の領域を示す場所情報と、その場所情報に対応する通信部５４の通信素子５３と、コンテンツ取得部５７が取得した該当する各都道府県のガイドマップ情報とを対応付けた、対応情報を作成する。【０１４４】
例えば、対応情報作成部５９は、埼玉県に対応する表示面５２１上の領域を示す場所（例えば、地図上の座標）と、埼玉県に対応する場所を覆ういくつかの通信素子５３と、埼玉県のガイドマップ情報とを対応付けた、対応情報を作成する。対応情報作成部５９は、他の都道府県についても同様に対応情報を作成する。【０１４５】
次に、識別部５５が世界地図の表示面５２２の情報担体６８を検出したときについて説明する。対応情報作成部５９は、日本地図の場合と同様に、世界の各国の表示面５２２上の場所と、その国に対応する場所を覆ういくつかの通信素子５３と、その国のガイドマップ情報とを対応付けた、対応情報を作成する。【０１４６】
本実施の形態では、表示部５２は、表示面５２１、５２２が入れ替わるだけとなっている。したがって、対応情報作成部５９は、ガイドマップ情報に変化がなければ、入れ替わりの度に対応情報を作成する必要はない。すなわち、対応情報作成部５９は、一旦作成した表示面５２１用の対応情報および表示面５２２用の対応情報を保存しておき、識別部５５の検出結果により、保存した対応情報を切り替えて選択すれば良い。【０１４７】
次に、通信素子制御部５６は、全体制御部６１の指示により、対応情報作成部５９が作成した対応情報に基づいて、各都道府県または世界の国の場所に対応する通信素子５３にそのガイドブック情報を転送できるように、転送設定をする（Ｓ７０５）。【０１４８】
この状態で、装置本体５１は、ユーザ端末２２からガイドブック情報の入手の要求があるかを、全体制御部６１で繰り返し判断することによって、ユーザからのガイドブック情報の入手の要求を待機する（Ｓ７０６）。【０１４９】
ユーザからのガイドブック情報入手の要求がない場合は（Ｓ７０６のＮ）、装置本体５１は、ガイドブック情報の入手の要求があるまで、上記判断を繰り返す。【０１５０】
その後、ユーザが、自ら所有するユーザ端末２２を、表示部５２上の旅をしたい都道府県内または世界の国内のどこかにかざし、操作部２４を操作することによって、送受信部２３を介してガイドブック情報の入手を要求したとする。この場合、全体制御部６１は、通信素子５３を介して、非接触通信によるユーザからのガイドブック情報入手の要求を検知する（Ｓ７０６のＹ）。【０１５１】
次に、全体制御部６１は、ユーザ端末２２と通信が確立されている通信素子５３の対応情報に基づいて、ユーザがどの都道府県または世界の国のガイドブック情報を要求しているかを判断する。なお、この対応情報は、上述の通り、対応情報作成部５９が作成したものである。そして、全体制御部６１は、ユーザ端末２２と通信が確立されている通信素子５３を介して、ユーザ端末２２に、要求された都道府県または世界各国の名称を送信する。ユーザ端末２２は、通信素子５３から送信されてきた都道府県名または世界各国名を、送受信部２３で受信し、制御部２６の指示に基づいて、送信されてきた都道府県名または世界各国名を、端末表示部２５に表示する。そして、ユーザ端末２２は、ユーザに対して、表示した都道府県名または世界国名が要求したものかどうかの確認処理を行なう（Ｓ７０７）。【０１５２】
ユーザは、ユーザ端末２２の端末表示部２５に表示された都道府県名または世界国名が要求したものでない場合、例えば、操作部２４に「ＮＯ」を入力するなどの操作を行う。これにより、受信判定部２８は、その都道府県名または世界国名が正しくないことを示す信号を、送受信部２３を介して装置本体５１の通信素子５３に送信する。なお、この送信は、制御部２６の指示に基づいて行われる。【０１５３】
装置本体５１の全体制御部６１は、都道府県名または世界国名が正しくないことの信号を通信素子５３が受信すると、供給しようとしているガイドブック情報がユーザの購入したいものでないと判断し（Ｓ７０７のＮ）、再度、ステップＳ７０１に戻ってこれまでの動作を行なう。【０１５４】
一方、ユーザは、ユーザ端末２２の端末表示部２５に表示された都道府県名または世界国名が要求したものである場合、例えば、操作部２４に「ＹＥＳ」を入力するなどの操作を行う。これにより、受信判定部２８は、都道府県名または世界国名が正しいことを送受信部２３を介して装置本体５１の通信素子５３に送信する。なお、この送信は、制御部２６の指示に基づいて行われる。【０１５５】
装置本体５１の全体制御部６１は、都道府県名または世界国名が正しいことの信号を通信素子５３が受信すると、供給しようとしているガイドブック情報がユーザの購入したいものであると判断し（Ｓ７０７のＹ）、通常の決済処理を行なう（Ｓ７０８）。この決済処理は、全体制御部６１の指示に基づいて、通信素子５３を介して、ユーザ端末２２との間で行われる。ユーザは、決済処理の経過をユーザ端末２２の端末表示部２５で確認し、必要な操作を操作部２４で行うことができる。【０１５６】
決済処理が完了しなかった場合（Ｓ７０８のＮ）、装置本体５１の全体制御部６１は、決済不可の情報を、通信素子５３からユーザ端末２２の送受信部２３に送信する。これにより、ユーザ端末２２の制御部２６は、端末表示部２５に決済不可の情報を表示し、コンテンツ購入動作を終了する。【０１５７】
決済が完了した場合（Ｓ７０８のＹ）、全体制御部６１は、決済完了の情報を、通信素子５３を介してユーザ端末２２の送受信部２３に送信する。これにより、ユーザ端末２２の制御部２６は、端末表示部２５に決済完了の情報を表示する。これと同時に、通信素子制御部５６は、装置本体５１の全体制御部６１の指示により、ユーザ端末２２から要求のあったガイドブック情報を、コンテンツ取得部５７から読み込む。そして、通信素子制御部５６は、読み込んだガイドブック情報を、ユーザ端末２２と通信の確立している通信素子５３に転送する（Ｓ７０９）。【０１５８】
これによって、ユーザは、通信素子５３および送受信部２３を介して、ユーザ端末２２で、要求したガイドブック情報の配信を受けることができる。【０１５９】
以上のように、本実施の形態では、ユーザは、ユーザ端末２２を、ガイドブック情報を入手したい表示部５２上の都道府県または世界の国のいずれかにかざして購入を要求する操作を行うことにより、所望のガイドブック情報を入手することができる。すなわち、上記操作により、表示部５２の表面に設けられている通信部５４の複数の通信素子５３のうち、その都道府県または世界の国に対応する通信素子５３との間で通信が確立し、コンテンツ取得部５７から通信素子５３を介して、必要なガイドブック情報がユーザ端末２２に配信される。【０１６０】
したがって、同じ都道府県または世界の国のガイドブック情報を複数のユーザが入手したい場合であっても、各場所に対応して複数の通信素子が設けられているので、複数のユーザは列をつくることなく、同時に同じガイドブック情報を入手することができる。【０１６１】
また、表示部５２の表示面５２１、５２２は、旅行会社が決めた所定の周期で入れ替わり、その入れ替わりに伴って現れる表示面５２１、５２２上の情報担体６７、６８を、識別部５５が検出する。これにより、データ通信装置は、いずれの表示面５２１、５２２がユーザに提示されているかを検出し、その検出結果に基づいて、対応情報作成部５９が作成した対応情報を用いて、日本地図か世界地図の各ガイドブック情報が転送される通信素子５３を動的に切り替えることができる。【０１６２】
なお、本実施の形態において、通信部５４は、有機材料などの光透過性柔軟材料などからなる基板６９に通信素子５３をマトリクス状に形成した構成となっている。これにより、通信部５４を駅構内などの柱に巻かれたポスターの上に巻いたり、ビルの大きな壁面などに貼られたポスターの上に貼り付けたりすることができる。すなわち、本実施の形態の通信部５４は、いろいろな形状の表示部５２に対応することができる。【０１６３】
なお、上記各実施の形態では、通信部１４、５４を表示部１２、５２の表面に設けたが、本発明の実施形態は、これに限られない。逆に、表示部１２、５２を、通信部１４、５４の上に設けても良い。【０１６４】
以上説明したように、本発明は、対応情報作成部により、多数の通信素子のうち、コンテンツが転送される所定数の通信素子を定めることができる。これにより、複数のユーザに対して、同じコンテンツを同時に提供することができる。したがって、待ち時間が発生せず、またコンテンツを取得できる領域を動的に変えることができ、コンテンツの選択操作が容易である。【０１６５】
本発明のデータ通信装置は、端末機器とコンテンツを通信するための通信素子を複数個有する通信部と、通信部の所定の通信素子にコンテンツを転送する転送部と、複数個の通信素子の中から、コンテンツが転送される通信素子を決定する対応情報作成部とを備えている。【０１６６】
これにより、複数のユーザへ同時に同じコンテンツを提供でき、待ち時間が発生せず、またコンテンツを取得できる領域を動的に変えることができるので、より多くのユーザへコンテンツを提供するなど、コンテンツの提供に関する操作が容易である。【０１６７】
また、本発明のデータ通信装置は、対応情報作成部は、複数のコンテンツが、それぞれ異なる数の通信素子へ転送されるように、コンテンツが転送される通信素子を決定している。【０１６８】
これにより、コンテンツの内容に応じてそのコンテンツが転送される通信素子の数を異ならせることができる。【０１６９】
また、本発明のデータ通信装置は、通信部に対応して設けられ、コンテンツを取得可能な領域を表示する表示部をさらに備えている。【０１７０】
これにより、表示部によってコンテンツを取得可能な領域を表示することができる。【０１７１】
また、本発明のデータ通信装置は、表示部は、対応情報作成部の決定に同期して表示内容を変更する構成を備えている。【０１７２】
これにより、表示部での表示内容に同期して通信部は携帯端末と通信を行うことができる。【０１７３】
また、本発明のデータ通信装置は、対応情報作成部は、表示部の表示内容の変化に同期してコンテンツが転送される通信素子を変更する構成を備えている。【０１７４】
これにより、表示部での表示内容に基づいて、コンテンツが転送される通信素子の数を変更することができる。【０１７５】
また、本発明のデータ通信装置は、表示部が表示するコンテンツを取得可能な領域の面積は、対応情報作成部が決定するコンテンツを転送する通信素子の数に比例する構成を備えている。【０１７６】
これにより、コンテンツを転送する通信素子の数を、表示部上のコンテンツを取得可能な領域の面積に比例させることができる。【０１７７】
また、本発明のデータ通信装置は、交換可能な情報担体を識別する識別部をさらに備え、対応情報作成部は、情報担体の有する情報に基づいて、コンテンツが転送される通信素子を決定する構成を備えている。【０１７８】
これにより、識別部を有する表示部に対して対応情報を作成して、端末機器との間でコンテンツの通信を行うことができる。【０１７９】
また、本発明のデータ通信装置は、通信部が、透光性材料から構成されている。【０１８０】
これにより、通信部を表示部の表面に設けることにより、ユーザは通信部側から表示部を見て所望のコンテンツ領域を選択でき、ユーザの端末機器と通信部間の通信も良好に行なえる。【０１８１】
また、本発明のデータ通信装置は、通信部が、柔軟性材料から構成されている。【０１８２】
これにより、通信部を柱や壁などに設けられたポスターなどと共に用いて、ポスターなどを利用して、いろいろな場所で所望のコンテンツを入手することができる。【０１８３】
また、本発明のデータ通信装置は、通信部は、コンテンツを送信する前にコンテンツを識別する情報を送信する構成を備えている。【０１８４】
これにより、通信部からのコンテンツの送信前に端末機器でその内容を確認でき、誤送信を防止することができる。【０１８５】
また、本発明のデータ通信装置は、通信部は、通信素子を介して端末機器から送信される情報を受信する受信部を有する構成を備えている。【０１８６】
これにより、端末機器から送信されるユーザの情報やコンテンツなどを受信することができる。【０１８７】
また、本発明のデータ通信装置は、端末機器から送信される情報に基づいてコンテンツの送信の可否を判断する送信判定部をさらに備えた構成を有している。【０１８８】
これにより、端末機器からの可否判断結果に基づいてコンテンツを送信できるので、誤送信を防止することができる。【０１８９】
また、本発明のデータ通信装置は、対応情報作成部は、端末機器から送信される情報に基づいてコンテンツが転送される通信素子を決定する構成を備えている。【０１９０】
これにより、端末機器から送信された情報を反映して対応情報を作成することができる。【０１９１】
また、本発明のデータ通信装置は、通信部に対応して設けられ、コンテンツを取得可能な領域を表示する表示部をさらに備え、表示部は、端末機器から送信される情報に基づいて表示内容を決定する構成を備えている。【０１９２】
これにより、端末機器から送信された情報を反映して表示部での表示内容を変化させることができる。【０１９３】
さらに、本発明の端末機器は、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを備え、通信部はコンテンツを送信する前にコンテンツを識別する情報を送信するデータ通信装置との間で、コンテンツが転送される通信素子を介してコンテンツとコンテンツを識別する情報を受信するコンテンツ受信部を有する端末機器であって、受信したコンテンツを識別する情報に基づいて、コンテンツの受信の可否を判断する受信判定部を備えた構成を有している。【０１９４】
これにより、データ通信装置の通信部との間でコンテンツを識別する情報の通信を行って、事前にコンテンツ受信の可否を判断するので、間違ったコンテンツの受信を防ぐことができる。【０１９５】
さらに、本発明の端末機器は、受信したコンテンツを識別する情報に基づいて、表示する内容を決定する表示部を有する。【０１９６】
これにより、表示部を用いて視覚的に受信するコンテンツを確認できるので、間違ったコンテンツの受信をさらに防ぐことができる。【０１９７】
さらに、本発明のデータ通信システムは、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを有するデータ通信装置と、データ通信装置との間で通信素子を介してコンテンツを受信する端末機器とを備えた構成を有している。【０１９８】
これにより、端末機器とデータ通信装置との間で事前にコンテンツの内容を確認してから、間違いのないコンテンツの受信を行うことができる。【０１９９】
２００７年１１月１２日出願の特願２００７−２９２８４０の日本出願に含まれる明細書、図面および要約書の開示内容は、すべて本願に援用される。
【産業上の利用可能性】
【０２００】
本発明は、ユーザ端末から所望のコンテンツを容易入手することができるキオスクなどや、画面内のコンテンツを入手することができる家庭用テレビなどに用いられるデータ通信装置として有用である。
【図１】
2009063635.tif 000003
【図２】
2009063635.tif 000004
【図３】
2009063635.tif 000005
【図４】
2009063635.tif 000006
【図５】
2009063635.tif 000007
【図６】
2009063635.tif 000008
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
端末機器とデジタルコンテンツを送受信するための通信素子を複数個有する通信部と、
前記通信部の所定の通信素子に前記デジタルコンテンツを転送する転送部と、
前記複数個の通信素子の中から、前記デジタルコンテンツが転送される通信素子を決定する対応情報作成部と、
を備えるデータ通信装置。
【請求項２】
前記対応情報作成部は、
複数の前記デジタルコンテンツが、それぞれ異なる数の前記通信素子へ転送されるように、前記デジタルコンテンツが転送される通信素子を決定する、
請求項１記載のデータ通信装置。
【請求項３】
前記通信部に対応して設けられた、前記デジタルコンテンツを取得可能な領域を表示する表示部、をさらに備える、
請求項１記載のデータ通信装置。
【請求項４】
前記表示部は、
前記対応情報作成部の決定に同期して表示内容を変更する、
請求項３記載のデータ通信装置。
【請求項５】
前記対応情報作成部は、
前記表示部の表示内容の変化に同期して前記デジタルコンテンツが転送される通信素子を変更する、
請求項３記載のデータ通信装置。
【請求項６】
前記表示部が表示するデジタルコンテンツを取得可能な領域の面積は、前記対応情報作成部が決定する前記デジタルコンテンツを転送する通信素子の数に比例する、
請求項３記載のデータ通信装置。
【請求項７】
交換可能な情報担体を識別する識別部、をさらに備え、
前記対応情報作成部は、
前記情報担体の有する情報に基づいて、前記デジタルコンテンツが転送される通信素子を決定する、
請求項１記載のデータ通信装置。
【請求項８】
前記通信部は、透光性材料から構成される、
請求項１記載のデータ通信装置。
【請求項９】
前記通信部は、柔軟性材料から構成される、
請求項１記載のデータ通信装置。
【請求項１０】
前記通信部は、
前記デジタルコンテンツを送信する前に前記デジタルコンテンツを識別する情報を送信する、
請求項１記載のデータ通信装置。
【請求項１１】
前記通信部は、
前記通信素子を介して携帯端末から送信される情報を受信する、
請求項１記載のデータ通信装置。
【請求項１２】
前記端末機器から送信される情報に基づいて前記デジタルコンテンツの送信の可否を判断する送信判定部、をさらに備える、
請求項１１記載のデータ通信装置。
【請求項１３】
前記対応情報作成部は、
前記端末機器から送信される情報に基づいて前記デジタルコンテンツが転送される通信素子、を決定する、
請求項１１記載のデータ通信装置。
【請求項１４】
前記通信部に対応して設けられ、前記デジタルコンテンツを取得可能な領域を表示する表示部、をさらに備え、
前記表示部は、
前記端末機器から送信される情報に基づいて表示内容を決定する、
請求項１１記載のデータ通信装置。
【請求項１５】
デジタルコンテンツを送受信するための通信素子を複数個有する通信部と、前記通信部の所定の通信素子にデジタルコンテンツを転送する転送部と、前記複数個の通信素子の中から、デジタルコンテンツが転送される通信素子を決定する対応情報作成部とを備え、前記通信部は前記デジタルコンテンツを送信する前に前記デジタルコンテンツを識別する情報を送信するデータ通信装置との間で、前記デジタルコンテンツが転送される通信素子を介して前記デジタルコンテンツと前記デジタルコンテンツを識別する情報を受信する受信部を有する端末機器であって、
前記受信部で受信した前記デジタルコンテンツを識別する情報に基づいて、前記デジタルコンテンツの受信の可否を判断する受信判定部、を備える、
端末機器。
【請求項１６】
前記受信部で受信した前記デジタルコンテンツを識別する情報に基づいて、表示する内容を決定する端末表示部、を有する、
請求項１５記載の端末機器。
【請求項１７】
デジタルコンテンツを送受信するための通信素子を複数個有する通信部と、前記通信部の所定の通信素子にデジタルコンテンツを転送する転送部と、前記複数個の通信素子の中から、前記デジタルコンテンツが転送される通信素子を決定する対応情報作成部と、を有するデータ通信装置と、
前記データ通信装置との間で前記通信素子を介して前記デジタルコンテンツを受信する端末機器と、
を備えるデータ通信システム。
【手続補正２】
【補正対象書類名】明細書
【補正対象項目名】全文
【補正方法】変更
【補正の内容】
【発明の詳細な説明】
【技術分野】
【０００１】
本発明は、楽曲情報や画像情報、店情報、旅先情報などのコンテンツをユーザ端末で入手することのできる、キオスクなどのデータ通信装置、端末機器、およびそれを用いたデータ通信システムに関する。
【背景技術】
【０００２】
従来のこの種のデータ通信装置は、入手するコンテンツに関する情報を顧客情報としてユーザ毎に保存する顧客データベースと、ユーザを特定するＩＤ情報を取得するＩＤ取得手段と、ＩＤ情報に対応する顧客情報を用いてそのユーザ毎に操作ボタンを表示する表示手段とを備えるものが知られている（特許文献１参照）。この技術によれば、ユーザに不要な操作ボタンを表示することなくユーザ固有の操作ボタンを表示することができるので、ユーザが望むコンテンツ画面に早く到達することができる。
【特許文献１】特開２００４‐１３７６５号公報
【発明の開示】
【発明が解決しようとする課題】
【０００３】
しかしながら、このような従来のデータ通信装置では、複数の人がデータ通信装置を操作することを想定していない。したがって、同じコンテンツ画面を所望するユーザが複数人いる場合であっても、ユーザ毎に同じ操作ボタンの繰り返しが必要であり、各ユーザは長い待ち時間が必要である。
【０００４】
また、上記特許文献１に記載のような従来のデータ通信装置では、各ユーザの操作時間は短縮されるが、それぞれのユーザ毎にＩＤ情報が必要である。したがって、同じコンテンツ画面を所望するにもかかわらず、複数人が同時にデータ端末を操作することができず、やはり待ち時間が発生した。
【０００５】
本発明の目的は、上記従来のデータ通信装置の課題を解決することであり、同じコンテンツ画面であっても、同じコンテンツ画面でなくても、コンテンツ画面の内容にかかわらず、複数のユーザが同時に操作することができ、各ユーザが所望のコンテンツを同時に取得でき、待ち時間の発生しないデータ通信装置、端末機器、およびそれを用いたデータ通信システムを提供することである。
【課題を解決するための手段】
【０００６】
本発明のデータ通信装置は、端末機器とコンテンツを通信するための通信素子を複数個有する通信部と、通信部の所定の通信素子にコンテンツを転送する転送部と、複数個の通信素子の中から、コンテンツが転送される通信素子を決定する対応情報作成部とを備えている。
【０００７】
これにより、複数のユーザへ同時に同じコンテンツを提供でき、待ち時間が発生せず、またコンテンツを取得できる領域を動的に変えることができるので、より多くのユーザへコンテンツを提供するなど、コンテンツの提供に関する操作が容易である。
【０００８】
さらに、本発明の端末機器は、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを備え、通信部はコンテンツを送信する前にコンテンツを識別する情報を送信するデータ通信装置との間で、コンテンツが転送される通信素子を介してコンテンツとコンテンツを識別する情報を受信するコンテンツ受信部を有する端末機器であって、受信したコンテンツを識別する情報に基づいて、コンテンツの受信の可否を判断する受信判定部を備えた構成を有している。
【０００９】
これにより、データ通信装置の通信部との間でコンテンツを識別する情報の通信を行って、事前にコンテンツ受信の可否を判断するので、間違ったコンテンツの受信を防ぐことができる。
【００１０】
さらに、本発明のデータ通信システムは、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを有するデータ通信装置と、データ通信装置との間で通信素子を介してコンテンツを受信する端末機器とを備えた構成を有している。
【００１１】
これにより、端末機器とデータ通信装置との間で事前にコンテンツの内容を確認してから、間違いのないコンテンツの受信を行うことができる。
【発明の効果】
【００１２】
本発明のデータ通信装置は、対応情報作成部により、多数の通信素子の中から、コンテンツが転送される通信素子を決定することができるので、複数のユーザへ同時に同じコンテンツを提供でき、待ち時間が発生せず、またコンテンツを取得できる領域を変えることができるので、より多くのユーザへコンテンツを提供するなど、コンテンツの提供に関する操作が容易である。
【発明を実施するための最良の形態】
【００１３】
以下、本発明のデータ通信装置の実施の形態について図面を参照して説明する。
【００１４】
（実施の形態１）
図１は本発明のデータ通信装置の実施の形態１にかかる構成を示すブロック図である。
【００１５】
本実施の形態では、いろいろなジャンルの音楽を配信することができるデータ通信装置を例に説明するが、これに限定されない。本発明は、映画のような動画像、写真などの静止画像、コンサート、映画、スポーツ観戦、博物館などのチケット、列車、および飛行機などのチケットなどの、各種のコンテンツ配信サービスにも適用することができる。
【００１６】
まず、図１を用いて、本実施の形態の概略を説明する。
【００１７】
図１において、本実施の形態であるデータ通信装置の装置本体１１は、表示部１２と、表示部１２上に設けられた通信部１４とを備えている。表示部１２は、提供する複数のコンテンツにそれぞれ対応したコンテンツ領域１２１〜１２５を表示する。通信部１４には、通信素子１３‐１〜１３‐１５（以下、いずれかを特定しない場合は通信素子１３と記す）が複数個マトリクス状に形成されている。通信素子１３は、例えばシートアンテナであり、ミリ波ＵＷＢ（ウルトラ・ワイド・バンド）による指向性のある無線通信が可能となっている。なお、通信手段は、ミリ波ＵＷＢに限らず、マイクロ波や光通信などでも良い。
【００１８】
さらに、装置本体１１は、表示制御部１５、通信素子制御部１６、および転送部１７を備えている。表示制御部１５は、表示部１２の表示内容を制御する。通信素子制御部１６は、通信部１４の通信素子１３を制御する。転送部１７は、ユーザの要求するコンテンツを、通信素子１３のうち、そのコンテンツを供給する通信素子１３に転送する。
【００１９】
さらに、装置本体１１は、コンテンツ取得部１８およびコンテンツ関連情報取得部１９を備えている。コンテンツ取得部１８は、コンテンツを取得し保存する。コンテンツ関連情報取得部１９は、コンテンツに関連する、例えば統計情報などのコンテンツ関連情報を、取得し保存する。
【００２０】
さらに、装置本体１１は、対応情報作成部２０を備えている。対応情報作成部２０は、コンテンツ関連情報取得部１９が取得したコンテンツ関連情報に基づいて、コンテンツと通信素子１３と表示部１２との対応関係を示す対応情報を作成する。この対応情報は、具体的には、どのコンテンツをどの通信素子１３に転送するかを決定し、さらにその通信素子１３に対応する表示部１２のコンテンツ領域をどのように表示するかを決定する情報である。
【００２１】
さらに、装置本体１１は、送信判定部２７および全体制御部２１を備えている。送信判定部２７は、ユーザが使用する端末機器であるユーザ端末２２から送信される情報に基づいて、コンテンツの送信の可否を判断する。全体制御部２１は、これら各構成要素を制御する。
【００２２】
このような構成からなる装置本体１１に対して、ユーザは、ユーザ端末２２を、所望するコンテンツ領域１２１〜１２５のいずれかの領域にかざす。これにより、その領域の上に位置する通信素子１３を介して、ユーザ端末２２に所望のコンテンツが配信される。
【００２３】
ユーザ端末２２としては、ＰＤＡ、ＡＶ機器、情報端末や携帯電話などが用いられる。ユーザ端末２２は、送受信部２３、操作部２４、端末表示部２５、受信判定部２８、および制御部２６とから構成される。送受信部２３は、装置本体１１と通信を行う。操作部２４は、ユーザの操作を受け付ける。端末表示部２５は、受信内容や操作内容などを表示する。受信判定部２８は、コンテンツの受信の可否を判断する。制御部２６は、ユーザ端末２２の全体の制御を行う。
【００２４】
次に、上記各構成要素の詳細について説明する。
【００２５】
表示部１２は、液晶表示パネルのようなもので構成され、例えば、Ｊ‐ＰＯＰジャンルの人気順に広い面積を有するコンテンツ領域１２１〜１２５を表示している。すなわち、人気Ｎｏ.１が歌手「ＡＡ」の楽曲「ａａ」、Ｎｏ.２が歌手「ＢＢ」楽曲「ｂｂ」、Ｎｏ.３が歌手「ＣＣ」の楽曲「ｃｃ」、Ｎｏ.４が歌手「ＤＤ」の楽曲「ｄｄ」、Ｎｏ.５が歌手「ＥＥ」の楽曲「ｅｅ」とする。この場合、コンテンツ領域１２１は、一番面積が大きい赤色の楕円形状で示されており、その領域のコンテンツが楽曲「ａａ」であることを示している。
【００２６】
以下、楽曲「ｂｂ」に対応する青色の円形状のコンテンツ領域１２２、楽曲「ｃｃ」に対応する緑色の楕円形状のコンテンツ領域１２３、楽曲「ｄｄ」に対応する黄色の円形状のコンテンツ領域１２４、および楽曲「ｅｅ」に対応する桃色の円形状のコンテンツ領域１２５が、この順序で、徐々に面積が小さくなるように表示されている。
【００２７】
各コンテンツ領域１２１〜１２５には、各領域だけでなく、少なくともそれぞれのコンテンツを示す楽曲と歌手が表示される。すなわち、コンテンツ領域１２１には、楽曲「ａａ」と歌手「ＡＡ」が、「ａａ（ＡＡ）」のように表示される。他の、コンテンツ領域１２２〜１２５にも同様に、「ｂｂ（ＢＢ）」〜「ｅｅ（ＥＥ）」と表示される。これによって、ユーザは、どのコンテンツ領域１２１〜１２５からどのようなコンテンツを取得できるかがわかる。
【００２８】
通信部１４は、表示部１２の表面に設けられている。通信部１４の各通信素子１３は、ミリ波ＵＷＢによってユーザ端末２２と通信が可能な、光透過性柔軟性材料からなるシートアンテナとその駆動回路とから構成されている。なお、シートアンテナと駆動回路は、必ずしも本実施の形態のように別体ではなくても良く、一体であっても良い。
【００２９】
各通信素子１３は、それぞれが独立して、図示しない薄膜配線によって転送部１７に接続されている。
【００３０】
シートアンテナとしては、例えば、光透過性有機材料シートの中に銅やフェライトなどの金属材料をループ状に形成されたものが一般的に用いられる。
【００３１】
絶縁体としては、カバーレイと呼ばれるポリイミド膜もしくはフォトソルダーレジスト膜が一般的に用いられる。また、導体としては、銅が一般的に用いられる。
【００３２】
したがって、通信部１４の表面からは、表示部１２の各コンテンツ領域１２１〜１２５を、通信部１４を透過して見ることができる。
【００３３】
これにより、ユーザは、取得したいコンテンツ領域１２１〜１２５にユーザ端末２２をかざすことによって、その下の通信素子１３から、ユーザ端末２２への所望のコンテンツの配信を受けることができる。
【００３４】
転送部１７は、シートアンテナを制御するドライバ、通信プロトコルなどのミドルウェア、アンテナに対応したコンテンツを転送するアプリケーションソフトウェアから構成されている。
【００３５】
コンテンツ関連情報取得部１９は、コンテンツに関連する情報を、インターネットなどを介して外部から取得して保存する。本実施の形態では、コンテンツ関連情報取得部１９は、人気ランキング、年齢別人気ランキング、ジャンル別人気ランキング、シングルＣＤ売り上げランキングなどの統計情報を取得する。このような統計情報は、定期的に更新されるものであれば、どれくらいの間隔で更新するかを統計情報から判断することができる。したがって、コンテンツ関連情報取得部１９は、例えば、統計情報から適切な更新間隔を判断し、定期的に統計情報を取得して更新し、保存する。
【００３６】
また、コンテンツ関連情報取得部１９は、装置本体１１で購入された楽曲の情報も履歴として入力し、必要に応じて、その結果を各ランキングに反映する。例えば、コンテンツ関連情報取得部１９は、装置本体１１での購入ランキング情報として扱ったり、売り上げランキングを更新したりする。
【００３７】
コンテンツ取得部１８は、インターネットを介して各種コンテンツを外部から取得し保存する。例えば、コンテンツ取得部１８は、コンテンツ関連情報取得部１９が取得したランキングにおいてランクされる楽曲を、取得して保存する。
【００３８】
コンテンツには、例えば、ｍｐ３ファイルのＩＤ３タグ情報のようなコンテンツ付属情報が付属している。この場合、コンテンツ付属情報から、タイトル、アーティスト名、アルバム名などを取得可能である。
【００３９】
なお、データ通信装置は、このコンテンツやコンテンツ関連情報を、インターネットを介してではなく、これらを記憶した各種の記憶媒体を用いて取得するようにしても良い。
【００４０】
対応情報作成部２０は、コンテンツ関連情報取得部１９で取得したコンテンツ関連情報に基づいて、コンテンツと通信素子１３とコンテンツ領域１２１〜１２５の対応関係を示す対応情報を作成する。この対応情報は、図２に示すように、人気のある楽曲をどの通信素子１３を用いてユーザに提供するか、表示部１２のそのコンテンツ領域の表示はどのようにするかを記述する情報である。
【００４１】
例えば、対応情報作成部２０は、図２の１行目（ランキングが「１」の行）に示すように、人気ランキングＮｏ.１の楽曲「ａａ」を、通信部１４の左上６個の通信素子１３‐１〜１３‐３、１３‐６〜１３‐８から提供するようにする内容の、対応情報を作成する。また、対応情報作成部２０は、表示部１２に、通信素子１３‐１〜１３‐３、１３‐６〜１３‐８の位置に対応する、左上部分のＪ個の画素を用いて、赤色の楕円形状のコンテンツ領域１２１と、その領域内の文字「ａａ（ＡＡ）」とを、５分間表示するという内容の、対応情報を作成する。
【００４２】
ここで、対応情報作成部２０は、表示部１２の全画素数を分かっている。したがって、コンテンツ供給側が、ランキングの何位まで表示するか、隣接ランキングとの面積差をいくらにするかなどを、ユーザの購買予測などを考慮して予め決めておくことにより、対応情報作成部２０は、コンテンツ領域１２１〜１２５の面積を、自動的に計算することができる。
【００４３】
また、対応情報作成部２０は、通信部１４の通信素子１３の位置や数も予め分かっているので、コンテンツ領域１２１〜１２５に対応する通信素子１３も自動的に計算して選択することができる。したがって、対応情報作成部２０は、各ランキングの色、形状、表示内容、表示時間なども予め決めておくことにより、コンテンツ関連情報取得部１９が取得した人気ランキングに基づいて、表示部１２を制御するための表示設定を、容易に行なうことができる。
【００４４】
例えば、人気Ｎｏ.１の楽曲は購入希望者が多いと予測される。したがって、対応情報作成部２０は、人気Ｎｏ.１の楽曲を示すコンテンツ領域１２１を、本実施の形態のように一番大きな面積にし、それに対応する通信素子１３‐１〜１３‐３、１３‐６〜１３‐８の数も、一番多い数である６本にする。
【００４５】
対応情報作成部２０は、他の楽曲に対しても、楽曲「ａａ」と同様にして、次のように、対応情報を作成する。Ｎｏ.２の楽曲「ｂｂ」の対応情報は、図２の２行目（ランキングが「２」の行）に示すように、通信部１４の右上部分４個の通信素子１３‐４、１３‐５、１３‐９、１３‐１０を用いて供給し、表示部１２の右上部分のＫ個の画素を用いて、青色楕円形状のコンテンツ領域１２２と、その領域内の文字「ｂｂ（ＢＢ）」とを、５分間表示するという内容である。
【００４６】
Ｎｏ.３の楽曲「ｃｃ」の対応情報は、通信部１４の左下部分の３個の通信素子１３‐１１〜１３‐１３を用いて供給し、表示部１２の左下部分Ｌ個の画素を用いて、緑色の楕円形状のコンテンツ領域１２３と、文字「ｃｃ（ＣＣ）」とを、５分間表示するという内容である。
【００４７】
Ｎｏ.４の楽曲「ｄｄ」の対応情報は、通信部１４の下中央部の１個の通信素子１３‐１４を用いて供給し、表示部１２の下中央部分のＭ個の画素を用いて、黄色円形状のコンテンツ領域１２４と、文字「ｄｄ（ＤＤ）」とを、５分間表示するという内容である。
【００４８】
Ｎｏ.５の楽曲「ｅｅ」は、通信部１４の右下部分の１個の通信素子１３‐１５を用いて供給し、表示部１２の右下部分のＮ個の画素を用いて、桃色円形状のコンテンツ領域１２５と、文字「ｅｅ（ＥＥ）」とを、５分間表示するという内容である。
【００４９】
本実施の形態では、コンテンツ関連情報取得部１９は、インターネットを介してコンテンツ関連情報を取得する。したがって、コンテンツ関連情報取得部１９は、インターネットを介して逐次取得する情報に、すでに保存している情報との相違があれば、そのタイミングで自動的に計算して、保存しているコンテンツ関連情報を更新する。したがって、対応情報作成部２０は、コンテンツ関連情報取得部１９が保存しているコンテンツ関連情報が更新されるタイミングで、コンテンツ関連情報の対応情報を変更することにより、常に最新の対応情報を生成することができる。
【００５０】
しかし、これに限らず、対応情報作成部２０は、所定時間ごとにコンテンツ関連情報取得部１９の内容を確認する毎に、対応情報を変更することとしても良い。対応情報の変更のタイミングは、任意に設定することができる。
【００５１】
表示制御部１５は、対応情報作成部２０により作成された対応情報に基づいて、表示部１２での表示駆動を制御する。例えば、表示制御部１５は、人気ランキングＮｏ.１〜Ｎｏ.５のコンテンツに対応して、図２に示す対応情報が定める「コンテンツ領域」、「色」、「表示形状」、「表示内容」、「表示間隔」に従って各コンテンツ領域１２１〜１２５を表示するように、表示部１２の、例えば液晶表示パネルを駆動する。
【００５２】
表示制御部１５は、コンテンツ関連情報取得部１９が新しいコンテンツ関連情報を取得して更新するまで、同じ状態を表示する。そして、表示制御部１５は、コンテンツ関連情報の更新によって、対応情報作成部２０が生成するコンテンツと表示部１２と通信素子１３との対応情報に変化があると判断すれば、その新しい対応情報に基づいて、表示部１２の表示を切り替える。例えば、表示制御部１５は、ランキングに変化があった場合には、通信素子に対応する「コンテンツ」、「表示内容」が変わるため、表示部１２の表示を切り替える。
【００５３】
通信素子制御部１６は、対応情報作成部２０が作成した対応情報に基づいて、どのコンテンツをどの通信素子１３から提供するかに関する転送設定を行なう。
【００５４】
例えば、通信素子制御部１６は、図２に示す対応情報に基づいて、人気ランキングＮｏ.１のコンテンツ「ａａ」を、６個の通信素子１３‐１〜１３‐３、１３‐６〜１３‐８から提供できるように、これらの各通信素子１３と転送部１７に転送の設定をして、準備する。このように、人気の高いコンテンツほど、上記したように、図２に示す対応情報に従って、そのコンテンツ領域に対応してより多くの通信素子１３から供給するように、転送設定を行う。
【００５５】
転送部１７は、ユーザがユーザ端末２２をコンテンツ領域１２１〜１２５にかざすことによって、各通信素子１３を介してユーザ端末２２からの接続要求を受け付ける。この場合、送信判定部２７は、ユーザや端末の認証などに基づいて、コンテンツを送信して良いかを判定する。そして、全体制御部２１は、統括して、決済などの購入に必要な処理を行う。その後、転送部１７は、通信素子制御部１６によって行われた設定に従って、それぞれの通信素子１３に対応したコンテンツを、コンテンツ取得部１８から取り込んで通信素子１３に転送する。これによって、ユーザ端末２２は、通信素子１３から、ユーザ端末２２をかざしたコンテンツ領域に対応した楽曲を取得することができる。
【００５６】
送信判定部２７は、装置本体１１から送信しようとしているコンテンツが、ユーザが取得したいコンテンツかどうかを示す、ユーザ端末２２から送信されてくる情報に基づいて、コンテンツの送信の可否を判断する。
【００５７】
ユーザ端末２２の送受信部２３は、装置本体１１の通信素子１３との間でミリ波ＵＷＢによる通信ができ、認証やコンテンツ確認などのためのデータの送受信を行う。
【００５８】
操作部２４は、テンキーや記号キーなどで構成され、ユーザの操作を受け付ける。端末表示部２５は、送受信部２３により送受信されたコンテンツ内容や、認証時の状況を表示する。
【００５９】
受信判定部２８は、送受信部２３が受信した、装置本体１１から送信されたコンテンツを識別する情報に基づいて、コンテンツの受信の可否を判断する。制御部２６は、ユーザ端末２２の全体の制御を行う。
【００６０】
図３は、本実施の形態の動作を示すフロー図である。図１、図２を参照しながら、図３を用いてその動作を説明する。
【００６１】
まず、コンテンツ関連情報取得部１９は、装置本体１１の全体制御部２１の指示に基づいて、定期的にインターネットを介してコンテンツ関連情報を取得する。そして、全体制御部２１は、コンテンツ関連情報に更新があったかどうかを判断する（Ｓ３０１）。
【００６２】
コンテンツ関連情報に更新がなかった場合（Ｓ３０１のＮ）、コンテンツ関連情報取得部１９は、更新があるまで、上記判断を定期的に繰り返す。
【００６３】
コンテンツ関連情報に更新があった場合（Ｓ３０１のＹ）、対応情報作成部２０は、全体制御部２１の指示により、更新があったコンテンツ関連情報に基づいて、コンテンツと表示部１２と通信素子１３との新しい対応情報を作成する（Ｓ３０２）。
【００６４】
例えば、対応情報作成部２０は、コンテンツ関連情報として、コンテンツ名と、ランキングの組み合わせの情報を取得し、図２の対応情報の「コンテンツ」、「表示内容」の欄を更新することで、常に最新の対応情報を生成する。また、コンテンツ関連情報取得部１９が、コンテンツ名と、購入数の組み合わせを履歴として集計し、対応情報作成部２０が、購入数に応じて、図２の対応情報の「コンテンツ」、「表示内容」を変えることで、常に最新の対応情報を得ることができる。
【００６５】
なお、対応情報作成部２０は、購入数に比例して、各ランキングの通信素子の個数、表示している円や楕円の面積を変えても良い。
【００６６】
次に、表示制御部１５は、全体制御部２１の指示により、対応情報作成部２０が作成した新しい対応情報に基づいて、表示設定を行う（Ｓ３０３）。表示設定は、どのコンテンツをどのコンテンツ領域にどのように表示するかなどの、各コンテンツのコンテンツ領域の表示場所や表示内容に関する設定である。
【００６７】
次に、通信素子制御部１６は、全体制御部２１の指示により、対応情報作成部２０が作成した新しい対応情報に基づいて、コンテンツとそれを供給する通信素子１３の配信経路など、各コンテンツ領域に対応する通信素子１３に、該当するコンテンツを転送できるように転送設定を行う（Ｓ３０４）。
【００６８】
なお、ステップＳ３０３とＳ３０４は、必ずしも本実施の形態のような順序で行わなくても良く、例えば、並行して行なっても良いし、逆に行っても良い。
【００６９】
この状態で、装置本体１１は、ユーザからのコンテンツ購入の要求を待つ。すなわち、全体制御部２１は、ユーザによるコンテンツ購入の要求があるか否かを判断する（Ｓ３０５）。
【００７０】
ユーザからのコンテンツ購入の要求がない場合は（Ｓ３０５のＮ）、全体制御部２１は、コンテンツ要求があるまで、上記判断を繰り返す。
【００７１】
その後、ユーザが、自ら所有するユーザ端末２２を、表示部１２の所望するコンテンツを示すコンテンツ領域１２１〜１２５のいずれかの領域内のどこかにかざし、操作部２４での操作により送受信部２３からコンテンツ購入を要求したとする。この場合、全体制御部２１は、通信素子１３を介して、非接触通信によるユーザからのコンテンツ購入の要求を検知する（Ｓ３０５のＹ）。
【００７２】
ここで、操作部２４の操作とは、ユーザ端末２２に搭載された購入用のアプリケーションを起動させること、ユーザ端末２２のメニューからコンテンツ購入という項目を選択することなどである。
【００７３】
ユーザ端末２２からコンテンツの購入要求があった場合（Ｓ３０５のＹ）、装置本体１１の送信判定部２７は、通信素子１３および送受信部２３を介して、ユーザ端末２２の制御部２６からユーザＩＤを取得し、通常の認証処理を行なう（Ｓ３０６）。
【００７４】
ここで、通常の認証処理とは、コンテンツを要求するユーザが、購入予約を済ませたユーザか否か、カード決済対象カードの所有者か否か、当該コンテンツを購入できる会員か否かなどの、ユーザに関する認証処理を含む。また、使用されているユーザ端末２２が、装置本体１１が対応できる種類の端末かなどの、ユーザ端末２２に関する認証処理をも含む。
【００７５】
認証処理中の進捗状況は、ユーザ端末２２の端末表示部２５に表示してユーザに伝えられる。ユーザは、この進捗状況を見ながら、必要に応じて操作部２４を操作して、認証を行う。
【００７６】
ステップＳ３０６で認証が行なえない場合（Ｓ３０６のＮ）、送信判定部２７は、認証の回数が３回かどうかを判断し（Ｓ３０７）、３回目でなければ（Ｓ３０７のＮ）、再度、認証を行なう（Ｓ３０６）。ステップＳ３０７で認証が３回目であれば（Ｓ３０７のＹ）、送信判定部２７は、その結果をユーザ端末２２の端末表示部２５に表示してユーザに通知し、コンテンツ購入動作を終了する。なお、認証回数は３回に限るものではない。
【００７７】
ステップＳ３０６で認証が正しい場合（Ｓ３０６のＹ）、送信判定部２７は、対応情報作成部２０で作成した対応情報に基づいて、ユーザ端末２２と通信が確立されている通信素子１３からユーザがどのコンテンツを要求しているかを判断する。そして、送信判定部２７は、通信素子１３を介して、ユーザ端末２２にそのコンテンツ名などのコンテンツ付属情報を送信する。ユーザ端末２２は、装置本体１１から送信されたコンテンツ名などのコンテンツ付属情報を送受信部２３を介して受信し、受信判定部２８の指示により端末表示部２５に表示し、ユーザに対して、供給しようとしているコンテンツの内容の確認処理を行なう（Ｓ３０８）。
【００７８】
ユーザ端末２２の端末表示部２５に表示されたコンテンツ名がユーザの要求したものでない場合、ユーザは、例えば、操作部２４に「ＮＯ」を入力するなどの操作をする。この場合、ステップＳ３０８で、受信判定部２８は、コンテンツ名が正しくないことを示す信号を、送受信部２３を介して装置本体１１の通信素子１３に送信する。
【００７９】
コンテンツ名が正しくないことを示す信号が通信素子１３で受信されると、装置本体１１の送信判定部２７は、供給しようとしているコンテンツがユーザの購入したい楽曲でないと判断し（Ｓ３０８のＮ）、再度、ステップＳ３０１に戻ってこれまでの動作を行なう。
【００８０】
一方、ユーザ端末２２の端末表示部２５に表示されたコンテンツ名がユーザが要求したものである場合、ユーザは、例えば、操作部２４に「ＹＥＳ」を入力するなどの操作する。この場合、ステップＳ３０８で、受信判定部２８は、コンテンツ名が正しいことを示す信号を、送受信部２３を介して装置本体１１の通信素子１３に送信する。
【００８１】
コンテンツ名が正しいことを示す信号が通信素子１３で受信されると、装置本体１１の送信判定部２７は、供給しようとしているコンテンツがユーザの購入したい楽曲であると判断し（Ｓ３０８のＹ）、当該コンテンツが装置本体１１で購入されたというコンテンツ関連情報を、コンテンツ関連情報取得部１９に送信する（Ｓ３０９）。
【００８２】
その後、転送部１７は、全体制御部２１の指示に基づいて、通信素子１３を介して、ユーザ端末２２との間で通常の決済処理を行なう（Ｓ３１０）。ユーザは、認識処理の経過をユーザ端末２２の端末表示部２５で確認し、必要な操作を操作部２４で行う。
【００８３】
ステップＳ３１０で決済処理が完了しなかった場合（Ｓ３１０のＮ）、装置本体１１の全体制御部２１は、決済不可の情報を、通信素子１３からユーザ端末２２の送受信部２３に送信する。これにより、ユーザ端末２２の制御部２６は、端末表示部２５に決済不可の情報を表示し、コンテンツ購入動作を終了する。
【００８４】
ステップＳ３１０で決済が完了した場合（Ｓ３１０のＹ）、全体制御部２１は、決済完了の情報を、通信素子１３を介してユーザ端末２２の送受信部２３に送信する。これにより、ユーザ端末２２の制御部２６は、端末表示部２５に決済完了の情報を表示する。
【００８５】
これと同時に、転送部１７は、装置本体１１の全体制御部２１の指示により、ユーザ端末２２から要求のあったコンテンツを、コンテンツ取得部１８から読み込み、ユーザ端末２２と通信の接続のある通信素子１３に転送する（Ｓ３１１）。
【００８６】
これによって、ユーザは、通信素子１３および送受信部２３を介して、ユーザ端末２２で、要求したコンテンツの配信を受けることができる。
【００８７】
以上のように、本実施の形態では、ユーザは、ユーザ端末２２を、表示部１２が表示するコンテンツ領域１２１〜１２５のうち、ユーザが購入したいコンテンツ領域にかざして購入を要求する操作を行うことにより、所望のコンテンツを入手することができる。すなわち、上記操作により、表示部１２の表面に設けられている通信部１４の複数の通信素子１３のうち、そのコンテンツ領域に対応する通信素子１３との通信が確立し、コンテンツ取得部１８から通信素子１３を介して、購入したコンテンツがユーザ端末２２に配信される。
【００８８】
対応情報作成部２０は、コンテンツ関連情報取得部１９により取得されたコンテンツ関連情報に基づいて、それぞれのコンテンツ領域１２１〜１２５の大きさを決める。この結果、例えば、人気の高い楽曲に対応して、大きい面積のコンテンツ領域１２１が表示される。すなわち、人気の高いコンテンツの領域には、多くの通信素子１３が対応しているので、同じコンテンツを要求するたくさんのユーザが各自のユーザ端末２２を同じコンテンツ領域１２１に同時にかざした場合でも、それらのユーザは、同時に同じコンテンツの配信を受けることができる。したがって、人気が高い楽曲でも、複数のユーザは行列をつくることなく、即座に楽曲を入手することができる。
【００８９】
ユーザがコンテンツを購入することによってそのコンテンツのランキングが変動したり、また例えば、人気ランキング自身も変動したりする。本実施の形態では、コンテンツ関連情報取得部１９は、ユーザがコンテンツを購入する度にランキングの更新をし、対応情報作成部２０は、この更新に基づいて対応情報を更新する。これにより、コンテンツ領域も通信部１４も、ランキングの変動に同期して、リアルタイムに動的に変動して、表示を行うことができる。
【００９０】
したがって、ユーザは、表示部１２において、リアルタイムに最新情報を知ることができ、その最新の情報に基づいて、コンテンツを選んで購入することができる。
【００９１】
なお、本実施の形態では、データ通信装置は、人気ランキング順に、単にコンテンツ領域１２１〜１２５の面積を変えたが、他の情報に対応してこれらの面積その他表示形態を変化させるようにしても良い。例えば、ランキングが１００人中の何人が投票したかを示すポイントを、コンテンツ関連情報として取得すれば、ポイントの数値に対応したコンテンツ領域を表示することができる。
【００９２】
例えば、人気ランキングＮｏ.１が４５ポイント、Ｎｏ.２が４０ポイント、Ｎｏ.３が１０ポイント、Ｎｏ.４が５ポイント、Ｎｏ.５が３ポイントであったとする。Ｎｏ.１のコンテンツ領域１２１は、Ｎｏ.２のコンテンツ領域１２２よりも少し大きい程度の大きさとし、Ｎｏ.３のコンテンツ領域１２３は、Ｎｏ.２のコンテンツ領域１２２に対する大きさの違いが目立つ程度に小さい大きさとする。また、Ｎｏ.４のコンテンツ領域１２４は、Ｎｏ.３のコンテンツ領域１２３よりも少し小さい大きさとし、Ｎｏ.５のコンテンツ領域１２５に対する大きさの差が目立つ程度に大きい大きさとする。このように、ポイント差をコンテンツ領域１２１〜１２５の大きさに反映させることによって、各コンテンツの人気の程度を表示部１２で表示でき、ユーザの購入の参考に供することができる。
【００９３】
さらに、データ通信装置は、人気ランキングでコンテンツ領域１２１〜１２５を表示しつつ、コンテンツ領域１２１〜１２５のそれぞれの表示内容に、歌手名や楽曲名以外に、Ｊ‐ＰＯＰランキング順位などの付帯情報を表示するようにしても良い。このような付帯情報も、ユーザの購買の良い参考となる。
【００９４】
また、データ通信装置は、各コンテンツ領域１２１〜１２５に、それぞれの歌手の似顔絵や写真などの画像や楽曲をイメージする絵や画像を表示しても良い。この場合、ユーザがコンテンツを選択しやすくなる。
【００９５】
さらに、本実施の形態では、対応情報作成部２０は、人気ランキングＮｏ.１〜Ｎｏ.５を表示する内容で対応情報を作成したが、図２の対応情報の「表示間隔」に違いを持たせるなどして、表示時間間隔との対応情報を作成しても良い。例えば、最初の５分はＮｏ.１〜Ｎｏ.５を表示し、次の５分はＮｏ.６〜Ｎｏ.１０を表示するという内容の対応情報である。これにより、より多くのコンテンツの提供を行うことができる。
【００９６】
また、表示部１２に表示される内容がスポーツの動画の場合には、ユーザは、試合観戦中に、ユーザ端末２２を注目する選手の画像にかざすことで、その選手に関する情報を得ることができる。この場合、対応情報作成部２０は、動画の再生タイミングに合わせて、選手の表示位置に対応した通信素子と、選手に関する情報を示すコンテンツ名とを、対応情報に記述する。
【００９７】
またさらに、表示部１２を大画面とし、通信部１４も通信素子１３を例えば数百個備えたものとすることによって、細かいコンテンツの提供を行うことができる。
【００９８】
例えば、データ通信装置は、表示部１２のコンテンツ領域１２１〜１２５を、人気の高い順に異なるジャンルに割り当て、各コンテンツ領域１２１〜１２５の中で、各ジャンルの人気ランキングに基づく領域表示をしても良い。
【００９９】
この場合、対応情報作成部２０は、図２に示す対応情報に加えて、ジャンルとの対応関係を示す対応情報を作成する。これによって、コンテンツ領域１２１は、人気の高いＪ‐ＰＯＰのジャンルとし、その領域の中で、上記したようなＪ‐ＰＯＰ人気ランキングＮｏ.１〜Ｎｏ.５の楽曲などを表示する。コンテンツ領域１２２は、人気Ｎｏ.２の洋楽のジャンルとし、その中で人気ランキングＮｏ.１〜Ｎｏ.５の楽曲を表示する。これによって、いろいろな趣味の多くのユーザに対応したデータ通信装置を提供できる。
【０１００】
また、本実施の形態では、コンテンツ領域１２１〜１２５の全てで人気ランキングＮｏ.１〜Ｎｏ.５の楽曲のみを配信する例を示したが、これに限定されない。データ通信装置は、コンテンツ領域１２１〜１２４を、人気ランキングＮｏ１.〜Ｎｏ.４の楽曲の配信に用い、コンテンツ領域１２５を人気ランキングＮｏ.５以下の楽曲の配信に用いることもできる。
【０１０１】
すなわち、データ通信装置は、人気ランキングＮｏ.５〜Ｎｏ.１０の楽曲「ｅｅ」〜「ｊｊ」に対しては、通信素子１３‐１５から配信するようにし、コンテンツ領域１２５を、右下部分のＮ個の画素を用いて桃色円形状に表示し、その領域内に、「選択」を意味する文字「Ｓ」を表示する。
【０１０２】
この場合、対応情報作成部２０は、図２に示す対応情報に、さらにコンテンツ選択のステップ数を付加し、楽曲「ｅｅ」〜「ｊｊ」に、異なる値の選択ステップ数を設定し、他の項目については同じ内容とすれば良い。そして、表示制御部１５は、選択ステップ数に応じて表示する内容を変えるようにすれば良い。
【０１０３】
これによって、ユーザは、所望の楽曲がコンテンツ領域１２１〜１２４にないとき、コンテンツ選択を示すコンテンツ領域１２５にユーザ端末２２をかざしてその領域に対応する通信素子１３‐１５と通信を確立し、コンテンツ領域１２５の表示内容を切り替える。ここで、例えば、ユーザの所望の楽曲が「ｇｇ」であり、楽曲「ｇｇ」の選択ステップ数が「３」であったとする。この場合、ユーザは、コンテンツ選択領域１２５で通信素子１３‐１５との間で選択要求を３回行ってコンテンツの要求をすることにより、目的の楽曲「ｇｇ」を示すコンテンツ選択領域１２５を表示させ、通信素子１３‐１５からユーザ端末２２への楽曲「ｇｇ」の配信を受けることができる。
【０１０４】
これによって、それほど人気のないコンテンツを要望するユーザに対してもそのコンテンツを提供でき、より多くのユーザにコンテンツを配信できる。
【０１０５】
また、本実施の形態では、対応情報によって、あるコンテンツに対して隣接する複数の通信素子１３を対応させることにより、コンテンツ領域の面積を変えたが、これに限定されない。データ通信装置は、隣接する通信素子１３ではなく、離隔した複数の通信素子１３に、同一のコンテンツを対応させても良い。例えば、表示部１２が平面的に設置されている場合など、そのコンテンツに対して、表示部１２の周囲に配置された所定個数の間隔をあけて配置された複数個の通信素子１３を対応させても良い。これにより、表示部１２の周囲にいるユーザにそのコンテンツを選びやすくできる。
【０１０６】
また、本実施の形態では、データ通信装置の装置本体１１からユーザ端末２２にコンテンツを送信する方法を述べたが、逆にユーザ端末２２からデータ通信装置の装置本体１１に、コンテンツを送信する場合もある。例えば、写真などのコンクールにユーザが画像や動画を投稿して応募するケースが考えられる。この場合には、例えば、コンテンツとしての表示内容は、コンクールへの応募の説明であり、応募可能人数の多いコンクールほど、面積が大きく割り当てられる。そして、ユーザは、複数表示されているいくつかのコンクールの中から選択し、ユーザ端末からユーザの撮影した画像や動画を、選んだコンクールに対して応募するようにすることができる。
【０１０７】
このような構成とすることによって、データ通信装置は、コンクールの数に応じて応募説明の領域を動的に変化させ、その説明の領域に応じてユーザ端末との間で通信して、ユーザの応募操作を受け付けることができる。
【０１０８】
また、対応情報作成部２０は、図１に示すコンテンツ領域１２１〜１２５と同様なマイコンテンツ領域を、対応情報として作成して保存しておき、ユーザ操作を受けて、保存しておいた対応情報に基づいて表示を行うようにしても良い。これにより、ユーザは、自らがコンテンツ取得部１８に保存したコンテンツを、後で取り出すことができる。
【０１０９】
また、異なるユーザ端末を用いてデータ通信装置１１へコンテンツを保存し、この保存されたコンテンツを、ユーザ端末２２の操作によりデータ通信装置１１から取り出すようにしても良い。
【０１１０】
また、データ通信装置１１へコンテンツを保存したユーザとは異なるユーザにより、このコンテンツの取り出しを行うようにしても良い。
【０１１１】
（実施の形態２）
本実施の形態は、日本地図と世界地図とが入れ替わって表示される旅行会社のポスターの表面に、実施の形態１で説明した通信部が設けられた例である。本実施の形態では、ユーザは、この地図上の旅したい都道府県あるいは世界の国に、ユーザ端末をかざすことによって、各都道府県あるいは世界各国のガイドブック情報を、コンテンツとして得ることができる。
【０１１２】
実施の形態１との大きな違いは、ディスプレイで表示していたコンテンツの内容が、ポスターでの表示になった点である。
【０１１３】
図４は本発明のデータ通信装置の実施の形態２にかかる構成を示すブロック図である。
【０１１４】
図４において、本実施の形態のデータ通信装置としての装置本体５１は、日本地図と世界地図が入れ替わるように構成された表示部５２と別体で構成されている。
【０１１５】
図４では、日本地図を表示する表示面５２１が示されている。装置本体５１は、通信部５４、識別部５５、および通信素子制御部５６を備えている。通信部５４は、表示部５２の表面に設置されている。また、通信部５４には、シートアンテナからなる通信素子５３がマトリクス状に形成されている。識別部５５は、表示部５２の表示面が日本地図と世界地図とのうちいずれを表示しているのかを検出する。通信素子制御部５６は、識別部５５で検出した表示部５２の表示面内容に応じて、通信部５４の通信素子５３を制御する。
【０１１６】
なお、識別部５５は、後述するように、本実施の形態では、通信部５４の通信素子５３と同様な構成で、通信部５４内に設けられる。
【０１１７】
さらに、装置本体５１は、コンテンツ取得部５７およびコンテンツ関連情報取得部５８を備えている。コンテンツ取得部５７は、観光案内、名所旧跡紹介、名物料理紹介などのガイドブック情報であるコンテンツを、例えば外部から取得し保存する。コンテンツ関連情報取得部５８は、表示部５２の都道府県または世界各国の地図上の位置情報（例えば、座標情報）である、コンテンツ関連情報を取得し保存する。
【０１１８】
さらに、装置本体５１は、対応情報作成部５９、転送部６０、および全体制御部６１を備えている。対応情報作成部５９は、コンテンツ取得部５７が取得したコンテンツと識別部５５が検出した表示面内容とに基づいて、対応情報を作成する。この対応情報は、コンテンツと表示部５２と通信素子５３との対応関係を示す情報である。転送部６０は、コンテンツ取得部５７が取得したコンテンツを通信素子５３に転送する。全体制御部６１は、これらの各構成要素を制御する。
【０１１９】
ユーザ端末２２は、実施の形態１と同じ構成であるので、同一符号で示し説明は省略した。
【０１２０】
図５は本実施の形態のデータ通信装置の構成を示す上面図である。
【０１２１】
図５において、表示部５２は、日本地図を示す表示面５２１と、世界地図を示す表示面５２２と、２つの回転ローラ６５、６６とから構成されている。表示面５２１、５２２は、帯状かつ環状につながっており、平行に離隔して配置された回転ローラ６５、６６に懸架されている。そして、表示面５２１、５２２は、これら回転ローラ６５、６６の回転により、太い白矢印で示すユーザ側（図では上側）に、交互に提示される。すなわち、表示部５２は、日本地図の表示面５２１と世界地図の表示面５２２とを、切り替えて提示するように構成されている。表示面５２１の右下および表示面５２２の右下（図４参照）には、それぞれ、日本地図または世界地図であることを示す情報を保持する情報担体（data carrier）６７、６８が形成されている。
【０１２２】
回転ローラ６５、６６は図示しない駆動部によって所定周期で実線矢印方向に駆動され、表示面５２１および表示面５２２を、ユーザ側に周期的に交互に提示する。
【０１２３】
データ通信装置の装置本体５１は、その通信部５４が表示部５２のユーザ側に重なるように設置されている。通信部５４のうち、基板６９の表側（図の上側）には、複数の通信素子５３が形成され、基板６９の裏側（図の下側）には、例えばシートアンテナで構成される識別部５５が形成されている。識別部５５は、表示部５２の情報担体６７または６８と対向し得る位置に配置されている。
【０１２４】
なお、情報担体６７、６８は、ＲＦＩＤ（Radio Frequency Identification）等のタグであり、タグのＩＤ（識別子）や付加情報などの情報を保持し、無線通信によって、保持している情報を送信する。また、識別部５５は、ＲＦＩＤのリーダーでも良い。情報担体６７、６８は、例えば、ＲＦＩＤとしては、電子タグ、ＩＣタグなどが挙げられ、他にも、ＩＣカード、バーコードが挙げられる。
【０１２５】
装置本体５１のうち、通信部５４（通信素子５３を含む）以外の構成要素は、通信部５４の周辺の駆動部７０に設けられている。
【０１２６】
本実施の形態では、コンテンツ取得部５７は、表示部５２の表示面の内容に応じて、事前にインターネットなどを介して外部からコンテンツを取得する。本実施の形態では、この取得されるコンテンツは、日本の都道府県および世界の国の、観光案内や名所旧跡、名物料理などのガイドブック情報である。
【０１２７】
コンテンツ関連情報取得部５８は、表示部５２の地図情報を、事前にインターネットなどを介して入手し、都道府県および世界各国の表示部５２上の位置情報を、取得および保存している。
【０１２８】
なお、データ通信装置は、このコンテンツやコンテンツ関連情報を、インターネットを介してではなく、これらを記憶した各種の記憶媒体を用いて取得しても良いし、ユーザの手入力により事前に取得しても良い。また、データ通信手段は、表示面５２１、５２２の表示パターンを読み取って、自動で都道府県の位置、世界の国の位置を算出するなども可能である。すなわち、情報の取得形態は、何ら本実施の形態の内容に限るものではない。
【０１２９】
対応情報作成部５９は、コンテンツ取得部５７が取得したコンテンツと、コンテンツ関連情報取得部５８が取得した、表示面５２１、５２２における地図の場所情報とに基づいて、対応情報を作成し保存する。この対応情報は、地図の場所情報とコンテンツと通信素子５３との対応関係を示す情報である。
【０１３０】
通信部５４には、実施の形態１と同様に、シートアンテナからなる通信素子５３が、光透過性の基板６９にマトリクス状に形成されている。通信部５４は、表示部５２のユーザ側の面に設置される。
【０１３１】
このような構成からなるデータ通信装置５１をユーザ側から見ると、通信部５４を介して、表示部５２の表示面５２１、５２２、すなわち日本地図または世界地図が見える。
【０１３２】
ユーザは、ユーザ端末２２を日本地図の所望の都道府県または世界地図の所望の国にかざして、操作部２４を操作する。すると、ユーザ端末２２がかざされた場所の観光ガイドが、その場所に対応する通信素子５３を介して送受信部２３に送信され、端末表示部２５に表示される。すなわち、ユーザが所望する情報が、ユーザ端末２２に配信される。
【０１３３】
図６は、本実施の形態のデータ通信装置の動作を示すフロー図である。図４、図５を参照しながら、図６を用いて、その動作を説明する。
【０１３４】
まず、コンテンツ取得部５７は、装置本体５１の全体制御部６１の指示に基づいて、定期的にインターネットを介してガイドブック情報を取得する（Ｓ７０１）。これにより、常に更新されたガイドブック情報が、コンテンツ取得部５７に保存される。
【０１３５】
また、コンテンツ関連情報取得部５８も、定期的にインターネットを介してコンテンツ関連情報を取得する（Ｓ７０２）。これにより、常に更新された表示面５２１、５２２上の地図の場所情報が、コンテンツ関連情報取得部５８に保存される。
【０１３６】
このコンテンツ関連情報は、上記したように、記憶媒体の記憶内容の書き換えや、表示部５２の地図のパターンに基づく更新など、いろいろな方法によって更新される。
【０１３７】
また、ステップＳ７０１とＳ７０２は、逆の順序で行なわれても良いし、同時に並行して行なわれても良い。
【０１３８】
次に、識別部５５は、全体制御部６１の指示に基づいて、表示部５２が表示する表示面の変更があったかどうかを判断する（Ｓ７０３）。
【０１３９】
表示面に変更がない場合（Ｓ７０３のＮ）、識別部５５は、表示面の変更があるまで待機する。
【０１４０】
表示面に変更があった場合（Ｓ７０３のＹ）、対応情報作成部５９は、全体制御部６１の指示に従って、識別部５５の検出結果に基づいて、対応情報を作成する（Ｓ７０４）。この対応情報は、コンテンツと、表示部５２の表示面５２１、５２２と、通信素子５３との対応関係を示す情報である。
【０１４１】
すなわち、回転ローラ６５、６６が、図示しない駆動部によって所定時間ごとに回転させられ、表示部５２の表示面５２１、５２２が変更されると、表示面５２１、５２２の右下に形成されている情報担体６７、６８の位置が、定期的に入れ替わる。通信部５４の識別部５５は、情報担体６７、６８と対向する位置に形成されている。したがって、識別部５５は、表示面５２１、５２２が入れ替わる毎に、表示面５２１と表示面５２２との変更を検出する。対応情報作成部５９は、その検出結果に基づいた全体制御部６１の指示により、次のような対応情報を作成する。
【０１４２】
まず、識別部５５が日本地図の表示面５２１の情報担体６７を検出したときについて説明する。対応情報作成部５９は、コンテンツ関連情報取得部５８が取得した表示面５２１上の各都道府県の領域を示す場所情報と、その場所情報に対応する通信部５４の通信素子５３と、コンテンツ取得部５７が取得した該当する各都道府県のガイドマップ情報とを対応付けた、対応情報を作成する。
【０１４３】
例えば、対応情報作成部５９は、埼玉県に対応する表示面５２１上の領域を示す場所（例えば、地図上の座標）と、埼玉県に対応する場所を覆ういくつかの通信素子５３と、埼玉県のガイドマップ情報とを対応付けた、対応情報を作成する。対応情報作成部５９は、他の都道府県についても同様に対応情報を作成する。
【０１４４】
次に、識別部５５が世界地図の表示面５２２の情報担体６８を検出したときについて説明する。対応情報作成部５９は、日本地図の場合と同様に、世界の各国の表示面５２２上の場所と、その国に対応する場所を覆ういくつかの通信素子５３と、その国のガイドマップ情報とを対応付けた、対応情報を作成する。
【０１４５】
本実施の形態では、表示部５２は、表示面５２１、５２２が入れ替わるだけとなっている。したがって、対応情報作成部５９は、ガイドマップ情報に変化がなければ、入れ替わりの度に対応情報を作成する必要はない。すなわち、対応情報作成部５９は、一旦作成した表示面５２１用の対応情報および表示面５２２用の対応情報を保存しておき、識別部５５の検出結果により、保存した対応情報を切り替えて選択すれば良い。
【０１４６】
次に、通信素子制御部５６は、全体制御部６１の指示により、対応情報作成部５９が作成した対応情報に基づいて、各都道府県または世界の国の場所に対応する通信素子５３にそのガイドブック情報を転送できるように、転送設定をする（Ｓ７０５）。
【０１４７】
この状態で、装置本体５１は、ユーザ端末２２からガイドブック情報の入手の要求があるかを、全体制御部６１で繰り返し判断することによって、ユーザからのガイドブック情報の入手の要求を待機する（Ｓ７０６）。
【０１４８】
ユーザからのガイドブック情報入手の要求がない場合は（Ｓ７０６のＮ）、装置本体５１は、ガイドブック情報の入手の要求があるまで、上記判断を繰り返す。
【０１４９】
その後、ユーザが、自ら所有するユーザ端末２２を、表示部５２上の旅をしたい都道府県内または世界の国内のどこかにかざし、操作部２４を操作することによって、送受信部２３を介してガイドブック情報の入手を要求したとする。この場合、全体制御部６１は、通信素子５３を介して、非接触通信によるユーザからのガイドブック情報入手の要求を検知する（Ｓ７０６のＹ）。
【０１５０】
次に、全体制御部６１は、ユーザ端末２２と通信が確立されている通信素子５３の対応情報に基づいて、ユーザがどの都道府県または世界の国のガイドブック情報を要求しているかを判断する。なお、この対応情報は、上述の通り、対応情報作成部５９が作成したものである。そして、全体制御部６１は、ユーザ端末２２と通信が確立されている通信素子５３を介して、ユーザ端末２２に、要求された都道府県または世界各国の名称を送信する。ユーザ端末２２は、通信素子５３から送信されてきた都道府県名または世界各国名を、送受信部２３で受信し、制御部２６の指示に基づいて、送信されてきた都道府県名または世界各国名を、端末表示部２５に表示する。そして、ユーザ端末２２は、ユーザに対して、表示した都道府県名または世界国名が要求したものかどうかの確認処理を行なう（Ｓ７０７）。
【０１５１】
ユーザは、ユーザ端末２２の端末表示部２５に表示された都道府県名または世界国名が要求したものでない場合、例えば、操作部２４に「ＮＯ」を入力するなどの操作を行う。これにより、受信判定部２８は、その都道府県名または世界国名が正しくないことを示す信号を、送受信部２３を介して装置本体５１の通信素子５３に送信する。なお、この送信は、制御部２６の指示に基づいて行われる。
【０１５２】
装置本体５１の全体制御部６１は、都道府県名または世界国名が正しくないことの信号を通信素子５３が受信すると、供給しようとしているガイドブック情報がユーザの購入したいものでないと判断し（Ｓ７０７のＮ）、再度、ステップＳ７０１に戻ってこれまでの動作を行なう。
【０１５３】
一方、ユーザは、ユーザ端末２２の端末表示部２５に表示された都道府県名または世界国名が要求したものである場合、例えば、操作部２４に「ＹＥＳ」を入力するなどの操作を行う。これにより、受信判定部２８は、都道府県名または世界国名が正しいことを送受信部２３を介して装置本体５１の通信素子５３に送信する。なお、この送信は、制御部２６の指示に基づいて行われる。
【０１５４】
装置本体５１の全体制御部６１は、都道府県名または世界国名が正しいことの信号を通信素子５３が受信すると、供給しようとしているガイドブック情報がユーザの購入したいものであると判断し（Ｓ７０７のＹ）、通常の決済処理を行なう（Ｓ７０８）。この決済処理は、全体制御部６１の指示に基づいて、通信素子５３を介して、ユーザ端末２２との間で行われる。ユーザは、決済処理の経過をユーザ端末２２の端末表示部２５で確認し、必要な操作を操作部２４で行うことができる。
【０１５５】
決済処理が完了しなかった場合（Ｓ７０８のＮ）、装置本体５１の全体制御部６１は、決済不可の情報を、通信素子５３からユーザ端末２２の送受信部２３に送信する。これにより、ユーザ端末２２の制御部２６は、端末表示部２５に決済不可の情報を表示し、コンテンツ購入動作を終了する。
【０１５６】
決済が完了した場合（Ｓ７０８のＹ）、全体制御部６１は、決済完了の情報を、通信素子５３を介してユーザ端末２２の送受信部２３に送信する。これにより、ユーザ端末２２の制御部２６は、端末表示部２５に決済完了の情報を表示する。これと同時に、通信素子制御部５６は、装置本体５１の全体制御部６１の指示により、ユーザ端末２２から要求のあったガイドブック情報を、コンテンツ取得部５７から読み込む。そして、通信素子制御部５６は、読み込んだガイドブック情報を、ユーザ端末２２と通信の確立している通信素子５３に転送する（Ｓ７０９）。
【０１５７】
これによって、ユーザは、通信素子５３および送受信部２３を介して、ユーザ端末２２で、要求したガイドブック情報の配信を受けることができる。
【０１５８】
以上のように、本実施の形態では、ユーザは、ユーザ端末２２を、ガイドブック情報を入手したい表示部５２上の都道府県または世界の国のいずれかにかざして購入を要求する操作を行うことにより、所望のガイドブック情報を入手することができる。すなわち、上記操作により、表示部５２の表面に設けられている通信部５４の複数の通信素子５３のうち、その都道府県または世界の国に対応する通信素子５３との間で通信が確立し、コンテンツ取得部５７から通信素子５３を介して、必要なガイドブック情報がユーザ端末２２に配信される。
【０１５９】
したがって、同じ都道府県または世界の国のガイドブック情報を複数のユーザが入手したい場合であっても、各場所に対応して複数の通信素子が設けられているので、複数のユーザは列をつくることなく、同時に同じガイドブック情報を入手することができる。
【０１６０】
また、表示部５２の表示面５２１、５２２は、旅行会社が決めた所定の周期で入れ替わり、その入れ替わりに伴って現れる表示面５２１、５２２上の情報担体６７、６８を、識別部５５が検出する。これにより、データ通信装置は、いずれの表示面５２１、５２２がユーザに提示されているかを検出し、その検出結果に基づいて、対応情報作成部５９が作成した対応情報を用いて、日本地図か世界地図の各ガイドブック情報が転送される通信素子５３を動的に切り替えることができる。
【０１６１】
なお、本実施の形態において、通信部５４は、有機材料などの光透過性柔軟材料などからなる基板６９に通信素子５３をマトリクス状に形成した構成となっている。これにより、通信部５４を駅構内などの柱に巻かれたポスターの上に巻いたり、ビルの大きな壁面などに貼られたポスターの上に貼り付けたりすることができる。すなわち、本実施の形態の通信部５４は、いろいろな形状の表示部５２に対応することができる。
【０１６２】
なお、上記各実施の形態では、通信部１４、５４を表示部１２、５２の表面に設けたが、本発明の実施形態は、これに限られない。逆に、表示部１２、５２を、通信部１４、５４の上に設けても良い。
【０１６３】
以上説明したように、本発明は、対応情報作成部により、多数の通信素子のうち、コンテンツが転送される所定数の通信素子を定めることができる。これにより、複数のユーザに対して、同じコンテンツを同時に提供することができる。したがって、待ち時間が発生せず、またコンテンツを取得できる領域を動的に変えることができ、コンテンツの選択操作が容易である。
【０１６４】
本発明のデータ通信装置は、端末機器とコンテンツを通信するための通信素子を複数個有する通信部と、通信部の所定の通信素子にコンテンツを転送する転送部と、複数個の通信素子の中から、コンテンツが転送される通信素子を決定する対応情報作成部とを備えている。
【０１６５】
これにより、複数のユーザへ同時に同じコンテンツを提供でき、待ち時間が発生せず、またコンテンツを取得できる領域を動的に変えることができるので、より多くのユーザへコンテンツを提供するなど、コンテンツの提供に関する操作が容易である。
【０１６６】
また、本発明のデータ通信装置は、対応情報作成部は、複数のコンテンツが、それぞれ異なる数の通信素子へ転送されるように、コンテンツが転送される通信素子を決定している。
【０１６７】
これにより、コンテンツの内容に応じてそのコンテンツが転送される通信素子の数を異ならせることができる。
【０１６８】
また、本発明のデータ通信装置は、通信部に対応して設けられ、コンテンツを取得可能な領域を表示する表示部をさらに備えている。
【０１６９】
これにより、表示部によってコンテンツを取得可能な領域を表示することができる。
【０１７０】
また、本発明のデータ通信装置は、表示部は、対応情報作成部の決定に同期して表示内容を変更する構成を備えている。
【０１７１】
これにより、表示部での表示内容に同期して通信部は携帯端末と通信を行うことができる。
【０１７２】
また、本発明のデータ通信装置は、対応情報作成部は、表示部の表示内容の変化に同期してコンテンツが転送される通信素子を変更する構成を備えている。
【０１７３】
これにより、表示部での表示内容に基づいて、コンテンツが転送される通信素子の数を変更することができる。
【０１７４】
また、本発明のデータ通信装置は、表示部が表示するコンテンツを取得可能な領域の面積は、対応情報作成部が決定するコンテンツを転送する通信素子の数に比例する構成を備えている。
【０１７５】
これにより、コンテンツを転送する通信素子の数を、表示部上のコンテンツを取得可能な領域の面積に比例させることができる。
【０１７６】
また、本発明のデータ通信装置は、交換可能な情報担体を識別する識別部をさらに備え、対応情報作成部は、情報担体の有する情報に基づいて、コンテンツが転送される通信素子を決定する構成を備えている。
【０１７７】
これにより、識別部を有する表示部に対して対応情報を作成して、端末機器との間でコンテンツの通信を行うことができる。
【０１７８】
また、本発明のデータ通信装置は、通信部が、透光性材料から構成されている。
【０１７９】
これにより、通信部を表示部の表面に設けることにより、ユーザは通信部側から表示部を見て所望のコンテンツ領域を選択でき、ユーザの端末機器と通信部間の通信も良好に行なえる。
【０１８０】
また、本発明のデータ通信装置は、通信部が、柔軟性材料から構成されている。
【０１８１】
これにより、通信部を柱や壁などに設けられたポスターなどと共に用いて、ポスターなどを利用して、いろいろな場所で所望のコンテンツを入手することができる。
【０１８２】
また、本発明のデータ通信装置は、通信部は、コンテンツを送信する前にコンテンツを識別する情報を送信する構成を備えている。
【０１８３】
これにより、通信部からのコンテンツの送信前に端末機器でその内容を確認でき、誤送信を防止することができる。
【０１８４】
また、本発明のデータ通信装置は、通信部は、通信素子を介して端末機器から送信される情報を受信する受信部を有する構成を備えている。
【０１８５】
これにより、端末機器から送信されるユーザの情報やコンテンツなどを受信することができる。
【０１８６】
また、本発明のデータ通信装置は、端末機器から送信される情報に基づいてコンテンツの送信の可否を判断する送信判定部をさらに備えた構成を有している。
【０１８７】
これにより、端末機器からの可否判断結果に基づいてコンテンツを送信できるので、誤送信を防止することができる。
【０１８８】
また、本発明のデータ通信装置は、対応情報作成部は、端末機器から送信される情報に基づいてコンテンツが転送される通信素子を決定する構成を備えている。
【０１８９】
これにより、端末機器から送信された情報を反映して対応情報を作成することができる。
【０１９０】
また、本発明のデータ通信装置は、通信部に対応して設けられ、コンテンツを取得可能な領域を表示する表示部をさらに備え、表示部は、端末機器から送信される情報に基づいて表示内容を決定する構成を備えている。
【０１９１】
これにより、端末機器から送信された情報を反映して表示部での表示内容を変化させることができる。
【０１９２】
さらに、本発明の端末機器は、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを備え、通信部はコンテンツを送信する前にコンテンツを識別する情報を送信するデータ通信装置との間で、コンテンツが転送される通信素子を介してコンテンツとコンテンツを識別する情報を受信するコンテンツ受信部を有する端末機器であって、受信したコンテンツを識別する情報に基づいて、コンテンツの受信の可否を判断する受信判定部を備えた構成を有している。
【０１９３】
これにより、データ通信装置の通信部との間でコンテンツを識別する情報の通信を行って、事前にコンテンツ受信の可否を判断するので、間違ったコンテンツの受信を防ぐことができる。
【０１９４】
さらに、本発明の端末機器は、受信したコンテンツを識別する情報に基づいて、表示する内容を決定する表示部を有する。
【０１９５】
これにより、表示部を用いて視覚的に受信するコンテンツを確認できるので、間違ったコンテンツの受信をさらに防ぐことができる。
【０１９６】
さらに、本発明のデータ通信システムは、コンテンツを通信するための通信素子を複数個有する通信部と、通信部の所定の通信素子にコンテンツを転送する転送部と、複数個の通信素子の中から、コンテンツが転送される通信素子を決定する対応情報作成部とを有するデータ通信装置と、データ通信装置との間で通信素子を介してコンテンツを受信する端末機器とを備えた構成を有している。
【０１９７】
これにより、端末機器とデータ通信装置との間で事前にコンテンツの内容を確認してから、間違いのないコンテンツの受信を行うことができる。
【０１９８】
２００７年１１月１２日出願の特願２００７−２９２８４０の日本出願に含まれる明細書、図面および要約書の開示内容は、すべて本願に援用される。
【産業上の利用可能性】
【０１９９】
本発明は、ユーザ端末から所望のコンテンツを容易入手することができるキオスクなどや、画面内のコンテンツを入手することができる家庭用テレビなどに用いられるデータ通信装置として有用である。
【図面の簡単な説明】
【０２００】
【図１】本発明のデータ通信装置の実施の形態１にかかる構成を示すブロック図
【図２】実施の形態１の対応情報の例を示す概念図
【図３】実施の形態１の動作を示すフロー図
【図４】本発明のデータ通信装置の実施の形態２にかかる構成を示すブロック図
【図５】実施の形態２の構成を示す上面図
【図６】実施の形態２の動作を示すフロー図
【手続補正３】
【補正対象書類名】図面
【補正対象項目名】全図
【補正方法】変更
【補正の内容】
【図１】
2009063635.tif 000009
【図２】
2009063635.tif 000010
【図３】
2009063635.tif 000011
【図４】
2009063635.tif 000012
【図５】
2009063635.tif 000013
【図６】
2009063635.tif 000014
【国際調査報告】
2009063635.tif 000015
2009063635.tif 000016
2009063635.tif 000017
2009063635.tif 000018